(57)【要約】ワイヤレス通信のための方法、システム、及びデバイスが説明される。第１のノード（例えば、ユーザ機器（ＵＥ））は、セルラワイヤレス通信リンクを通して第２のノード（例えば、基地局）からタイミング同期信号を受信し得る。いくつかの態様では、タイミング同期信号は、第１のノードを第２のノードと同期させるために、マッピング情報を示し得る。マッピング情報は、第２のノードの第２のクロックの第２の時間に第１のノードの第１のクロックの第１の時間を同期させるためのものであり得る。第１のノードは、マッピング情報及び同期情報に少なくとも部分的に基づいて、第２のクロックの第２の時間に第１のクロックの第１の時間を同期させ得る。第１のノードは、ローカルワイヤードインターフェースを介して第１のノードに接続されたデバイスに第２のクロックのタイミングに基づくタイミング制御を送信し得る。【選択図】図４
2021507613.tif 000002
【特許請求の範囲】
【請求項１】
時間同期されたワイヤレスネットワークの、第１の時間を有する第１のクロックに関連付けられた第１のノードによって実行されるワイヤレス通信のための方法であって、
前記時間同期されたワイヤレスネットワークの第２のノードから、前記時間同期されたワイヤレスネットワークのフレーム構造への前記第２のノードの第２のクロックの第２の時間のためのマッピングを識別するマッピング情報と同期情報とを備えるタイミング同期信号を受信することと、
前記マッピング情報及び前記同期情報に少なくとも部分的に基づいて、前記第２のクロックの前記第２の時間に前記第１のクロックの前記第１の時間を同期させることと
を備える、方法。
【請求項２】
前記タイミング同期信号に少なくとも部分的に基づいて、前記第１のノードのローカルワイヤードインターフェースのタイマ機能を構成することと、ここにおいて、前記タイミング同期信号は、セルラワイヤレス通信リンクを通して受信される、
前記ローカルワイヤードインターフェースを介して前記第１のノードに接続されたデバイスにタイミング制御信号を送信することと、ここにおいて、前記タイミング制御信号は、前記タイマ機能に少なくとも部分的に基づく、
を更に備える、請求項１に記載の方法。
【請求項３】
前記セルラワイヤレス通信リンクの少なくとも１つのメトリックが閾値を満たすと決定することと、
前記決定に少なくとも部分的に基づいて、前記デバイスを制御するために、前記タイミング制御信号を送信することと
を更に備える、請求項２に記載の方法。
【請求項４】
前記セルラワイヤレス通信リンクの前記少なくとも１つのメトリックは、基準信号受信電力（ＲＳＲＰ）、信号対雑音比（ＳＮＲ）、信号対干渉及び雑音比（ＳＩＮＲ）、基準信号受信品質（ＲＳＲＱ）、帯域幅パラメータ、スループットパラメータ、又はそれらの組み合わせのうちの少なくとも１つを備える、請求項３に記載の方法。
【請求項５】
前記セルラワイヤレス通信リンクの少なくとも１つのメトリックが閾値を満たさないと決定することと、
前記決定に少なくとも部分的に基づいて、前記デバイスからの前記タイミング制御信号を保留することと、
を更に備える、請求項２に記載の方法。
【請求項６】
精密時間プロトコル（ＰＴＰ）機能、汎用ＰＴＰ機能、又はタイミング及び同期プロトコル機能として前記タイマ機能を構成すること
を更に備える、請求項２に記載の方法。
【請求項７】
前記デバイスは、前記ローカルワイヤードインターフェースに接続され、前記第１のノードによって制御されるエンドデバイスである、請求項２に記載の方法。
【請求項８】
プライマリ同期信号、セカンダリ同期信号、システム情報ブロック、測位基準信号、又はそれらの任意の組み合わせのうちの少なくとも１つを使用して、前記第２のノードから前記タイミング同期信号を受信すること
を更に備える、請求項１に記載の方法。
【請求項９】
前記同期情報は、基準時間に関連付けられたタイムスタンプ識別子と、前記基準時間に関連付けられた集約された遅延に関連する遅延識別子とを含む、請求項１に記載の方法。
【請求項１０】
前記同期情報は、前記第１のノードによって使用される時間同期プロトコルに関連するプロトコル識別子を含む、請求項１に記載の方法。
【請求項１１】
前記時間同期プロトコルは、精密時間プロトコル（ＰＴＰ）、汎用ＰＴＰ、又はタイミング及び同期プロトコルのうちの少なくとも１つを含む、請求項１０に記載の方法。
【請求項１２】
前記マッピング情報及び前記同期情報を受信することに少なくとも部分的に基づいて、前記第２のノードの前記第２のクロックの前記第２の時間に第３のノードの第３のクロックの第３の時間を同期させるために、前記第３のノードに前記マッピング情報及び前記同期情報を送信すること
を更に備える、請求項１に記載の方法。
【請求項１３】
前記マッピング情報及び前記同期情報は、前記時間同期されたワイヤレスネットワークのセルラリンクのダウンリンク又は前記時間同期されたワイヤレスネットワークの前記セルラリンクのアップリンク上で受信される、請求項１に記載の方法。
【請求項１４】
前記マッピング情報は、前記第１の時間についての時間値と、フレーム番号、ハイパーフレーム番号、システムフレーム番号、又はサブフレーム番号のうちの少なくとも１つのフレーム構造識別子とを識別する、請求項１に記載の方法。
【請求項１５】
前記マッピング情報及び前記同期情報は、前記時間同期されたワイヤレスネットワークのセルラインターフェースの制御チャネルを使用して受信される、請求項１に記載の方法。
【請求項１６】
前記制御チャネルは、前記セルラインターフェースの制御プレーン又はユーザプレーンを使用して受信される、請求項１５に記載の方法。
【請求項１７】
前記受信することは、識別情報を受信することを含み、
前記識別情報は、セルラリンク識別子、ノード識別子、セル識別子、無線ベアラ識別子、プロトコルデータユニットセッション識別子、又はプロトコルデータユニット接続識別子のうちの少なくとも１つを含む、請求項１に記載の方法。
【請求項１８】
前記マッピング情報及び前記同期情報は、前記第１のノードに関連付けられた複数の時間同期インスタンスのうちの第１の時間同期インスタンスに関連する、請求項１に記載の方法。
【請求項１９】
ワイヤレス通信のための装置であって、
第１のクロック及び第１の時間に関連付けられた第１のノードが、時間同期されたワイヤレスネットワークの第２のノードから、前記時間同期されたワイヤレスネットワークのフレーム構造への前記第２のノードの第２のクロックの第２の時間のためのマッピングを識別するマッピング情報と同期情報とを備えるタイミング同期信号を受信するための手段と、
前記マッピング情報及び前記同期情報に少なくとも部分的に基づいて、前記第２のクロックの前記第２の時間に前記第１のクロックの前記第１の時間を同期させるための手段と
備える、装置。
【請求項２０】
前記タイミング同期信号に少なくとも部分的に基づいて、前記第１のノードのローカルワイヤードインターフェースのタイマ機能を構成するための手段と、ここにおいて、前記タイミング同期信号は、セルラワイヤレス通信リンクを通して受信される、
前記ローカルワイヤードインターフェースを介して前記第１のノードに接続されたデバイスにタイミング制御信号を送信するための手段と、ここにおいて、前記タイミング制御信号は、前記タイマ機能に少なくとも部分的に基づく、
を更に備える、請求項１９に記載の装置。
【請求項２１】
前記セルラワイヤレス通信リンクの少なくとも１つのメトリックが閾値を満たすと決定するための手段と、
前記決定に少なくとも部分的に基づいて、前記デバイスを制御するために、前記タイミング制御信号を送信するための手段と
を更に備える、請求項２０に記載の装置。
【請求項２２】
前記セルラワイヤレス通信リンクの前記少なくとも１つのメトリックは、基準信号受信電力（ＲＳＲＰ）、信号対雑音比（ＳＮＲ）、信号対干渉及び雑音比（ＳＩＮＲ）、基準信号受信品質（ＲＳＲＱ）、帯域幅パラメータ、スループットパラメータ、又はそれらの組み合わせのうちの少なくとも１つを備える、請求項２１に記載の装置。
【請求項２３】
前記セルラワイヤレス通信リンクの少なくとも１つのメトリックが閾値を満たさないと決定するための手段と、
前記決定に少なくとも部分的に基づいて、前記デバイスからの前記タイミング制御信号を保留するための手段と、
を更に備える、請求項２０に記載の装置。
【請求項２４】
精密時間プロトコル（ＰＴＰ）機能、汎用ＰＴＰ機能、又はタイミング及び同期プロトコル機能として前記タイマ機能を構成するための手段
を更に備える、請求項２０に記載の装置。
【請求項２５】
前記デバイスは、前記ローカルワイヤードインターフェースに接続され、前記第１のノードによって制御されるエンドデバイスである、請求項２０に記載の装置。
【請求項２６】
プライマリ同期信号、セカンダリ同期信号、システム情報ブロック、測位基準信号、又はそれらの任意の組み合わせのうちの少なくとも１つを使用して、前記第２のノードから前記タイミング同期信号を受信するための手段
を更に備える、請求項１９に記載の装置。
【請求項２７】
前記同期情報は、基準時間に関連付けられたタイムスタンプ識別子と、前記基準時間に関連付けられた集約された遅延に関連する遅延識別子とを含む、請求項１９に記載の装置。
【請求項２８】
前記同期情報は、前記第１のノードによって使用される時間同期プロトコルに関連するプロトコル識別子を含む、請求項１９に記載の装置。
【請求項２９】
前記時間同期プロトコルは、精密時間プロトコル（ＰＴＰ）、汎用ＰＴＰ、又はタイミング及び同期プロトコルのうちの少なくとも１つを含む、請求項２８に記載の装置。
【請求項３０】
前記マッピング情報及び前記同期情報を受信することに少なくとも部分的に基づいて、前記第２のノードの前記第２のクロックの前記第２の時間に第３のノードの第３のクロックの第３の時間を同期させるために、前記第３のノードに前記マッピング情報及び前記同期情報を送信するための手段
を更に備える、請求項１９に記載の装置。
【請求項３１】
前記マッピング情報及び前記同期情報は、前記時間同期されたワイヤレスネットワークのセルラリンクのダウンリンク又は前記時間同期されたワイヤレスネットワークの前記セルラリンクのアップリンク上で受信される、請求項１９に記載の装置。
【請求項３２】
前記マッピング情報は、前記第１の時間についての時間値と、フレーム番号、ハイパーフレーム番号、システムフレーム番号、又はサブフレーム番号のうちの少なくとも１つのフレーム構造識別子とを識別する、請求項１９に記載の装置。
【請求項３３】
前記マッピング情報及び前記同期情報は、前記時間同期されたワイヤレスネットワークのセルラインターフェースの制御チャネルを使用して受信される、請求項１９に記載の装置。
【請求項３４】
前記制御チャネルは、前記セルラインターフェースの制御プレーン又はユーザプレーンを使用して受信される、請求項３３に記載の装置。
【請求項３５】
前記受信するための手段は、識別情報を受信することを含み、
前記識別情報は、セルラリンク識別子、ノード識別子、セル識別子、無線ベアラ識別子、プロトコルデータユニットセッション識別子、又はプロトコルデータユニット接続識別子のうちの少なくとも１つを含む、
請求項１９に記載の装置。
【請求項３６】
前記マッピング情報及び前記同期情報は、前記第１のノードに関連付けられた複数の時間同期インスタンスのうちの第１の時間同期インスタンスに関連する、請求項１９に記載の装置。
【請求項３７】
ワイヤレス通信のための装置であって、
プロセッサと、
前記プロセッサと電子通信状態にあるメモリと、
前記メモリ中に記憶された命令とを備え、前記命令は、前記装置に、
第１のクロック及び第１の時間に関連付けられた第１のノードが、時間同期されたワイヤレスネットワークの第２のノードから、前記時間同期されたワイヤレスネットワークのフレーム構造への前記第２のノードの第２のクロックの第２の時間のためのマッピングを識別するマッピング情報と同期情報とを備えるタイミング同期信号を受信することと、
前記マッピング情報及び前記同期情報に少なくとも部分的に基づいて、前記第２のクロックの前記第２の時間に前記第１のクロックの前記第１の時間を同期させることと
を行わせるように前記プロセッサによって実行可能である、装置。
【請求項３８】
ワイヤレス通信のためのコードを記憶する非一時的コンピュータ可読媒体であって、前記コードは、
第１のクロック及び第１の時間に関連付けられた第１のノードが、時間同期されたワイヤレスネットワークの第２のノードから、前記時間同期されたワイヤレスネットワークのフレーム構造への前記第２のノードの第２のクロックの第２の時間のためのマッピングを識別するマッピング情報と同期情報とを備えるタイミング同期信号を受信することと、
前記マッピング情報及び前記同期情報に少なくとも部分的に基づいて、前記第２のクロックの前記第２の時間に前記第１のクロックの前記第１の時間を同期させることと
を行うようにプロセッサによって実行可能な命令を備える、非一時的コンピュータ可読媒体。
【発明の詳細な説明】
【関連出願の相互参照】
【０００１】
[0001]  本特許出願は、２０１８年１２月１１日に出願された「Time Synchronization for Wireless Communications」と題されたGoel他による米国特許出願第１６／２１５，９２２号、及び２０１７年１２月１９日に出願された「Time Synchronization of a Second Interface Based on Information Received over a First Interface」と題されたGoel他による米国仮特許出願第６２／６０７，８８５号、及び２０１８年１月９日に出願された「Techniques and Apparatuses for Time-Synchronization for Wireless Communications」と題されたHampel他による米国仮特許出願第６２／６１５，２８２号の優先権を主張し、それらの各々は、本発明の譲受人に譲渡され、本明細書に参照によって明示的に組み込まれる。
【背景技術】
【０００２】
[0002]  以下は、一般にワイヤレス通信（wireless communication）に関し、より具体的には、第１のインターフェースを通して受信された情報に基づく第２のインターフェースの時間同期（time synchronization）に関する。
【０００３】
[0003]  ワイヤレス通信システムは、音声、ビデオ、パケットデータ、メッセージング、ブロードキャスト、等などの様々なタイプの通信コンテンツを提供するために幅広く展開されている。これらのシステムは、利用可能なシステムリソース（例えば、時間、周波数、及び電力）を共有することによって複数のユーザとの通信をサポートすることが可能であり得る。そのような多元接続システムの例は、ロングタームエボリューション（ＬＴＥ（登録商標））システム、ＬＴＥアドバンスト（ＬＴＥ−Ａ）システム、又はＬＴＥ−Ａプロシステムなどの第４世代（４Ｇ）システムと、ニューラジオ（ＮＲ：New Radio）システムと呼ばれ得る第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、又は離散フーリエ変換拡散ＯＦＤＭ（ＤＦＴ−Ｓ−ＯＦＤＭ）などの技術を用い得る。ワイヤレス多元接続通信システムは、いくつかの基地局（base station）又はネットワークアクセスノードを含み得、各々が、別名ユーザ機器（ＵＥ：user equipment）としても知られ得る複数の通信デバイスのための通信を同時にサポートする。
【０００４】
[0004]  ローカル通信ネットワークは、産業用機械（industrial machine）、自動機能及び同様のものを含み得、それらは、マシンが制御及び動作のために同期されることを保証するために、厳密なタイミング同期（精密時間プロトコル（ＰＴＰ：precision time protocol）又は同様の技法など）に依拠する。従来、タイミング同期は、マシンの動作及び移動を同期させる（synchronize）ために、イーサネット（登録商標）ネットワークを通してそのようなシステムにおいてインプリメントされ得る。タイミング同期のインプリメンテーションは、決定論的な遅延算出（deterministic delay calculation）（例えば、イーサネットスイッチを使用した、ローカル通信ネットワークにおけるパケットのラウンドトリップ遅延の推定、等）のための専用ハードウェアサポートを含み得る。しかしながら、そのようなシステムは、従来、タイミング同期のためにワイヤレス通信システムに依拠しない。
【発明の概要】
【０００５】
[0005]  説明される技法は、ワイヤレス通信のための時間同期をサポートする改善された方法、システム、デバイス（device）、又は装置（apparatus）に関する。一般に、説明される技法は、産業マシン、自動機能、及び同様のものなどのエンドデバイス（end device）を制御するためのタイミング情報を提供するためのデュアルインターフェースユーザ機器（ＵＥ）を提供する。例えば、ＵＥは、基地局からなど、セルラワイヤレス通信リンク（cellular wireless communication link）を通してタイミング同期信号（timing synchronization signal）を受信するワイヤレスインターフェースを有し得る。タイミング同期信号は、基準信号（１つ以上）、同期信号（synchronization signal）（１つ以上）、ビーム管理信号（１つ以上）、及び同様のものであり得る。いくつかのケースでは、ＵＥは、第１の時間（first time）を有する第１のクロック（first clock）に関連付けられ得、同期信号は、時間同期されたワイヤレスネットワーク（time synchronized wireless network）に関連付けられた第２のクロック（second clock）（例えば、基地局に関連付けられたクロック）の第２の時間（second time）のためのマッピング（mapping）を含み得る。ＵＥは、同期信号内のマッピング情報（mapping information）に基づいて、第２のクロックに第１のクロック時間を同期させ得る。
【０００６】
[0006]  ＵＥは、ワイヤレスインターフェース上でタイミング同期信号を受信し、ＵＥのローカルワイヤードインターフェース（local wired interface）上で（例えば、第１のクロックに関連付けられた）タイマ機能（timer function）を構成し得る。一般に、ローカルワイヤードインターフェースは、産業用機械（industrial machine）などのエンドデバイスにＵＥを接続する任意のインターフェースであり得る。いくつかの態様では、ＵＥ機能は、エンドデバイスの一部であり得、例えば、デバイスは、内蔵セルラ能力を有し得る。ＵＥは、ローカルワイヤードインターフェースを介してデバイスにタイミング制御信号（timing control signal）を提供し得、ここで、タイミング制御信号は、ローカルワイヤードインターフェースのタイマ機能に基づく。いくつかの態様では、ＵＥ（又はＵＥ機能を含むデバイスのコントローラ機能）は、タイミング制御信号を使用してエンドデバイスを制御する。このことから、ＵＥは、産業用機械などにおいて、エンドデバイスのタイミング（timing）及び制御を提供するためにセルラタイミング同期信号を活用し得る。
【０００７】
[0007]  時間同期されたワイヤレスネットワークの、第１の時間を有する第１のクロックに関連付けられた第１のノード（first node）によって実行されるワイヤレス通信のための方法が説明される。方法は、時間同期されたワイヤレスネットワークの第２のノード（second node）から、時間同期されたワイヤレスネットワークのフレーム構造（frame structure）への第２のノードの第２のクロックの第２の時間のためのマッピングを識別するマッピング情報と同期情報（synchronization information）とを含むタイミング同期信号を受信することと、マッピング情報及び同期情報に基づいて、第２のクロックの第２の時間に第１のクロックの第１の時間を同期させることとを含み得る。
【０００８】
[0008]  時間同期されたワイヤレスネットワークの、第１の時間を有する第１のクロックに関連付けられた第１のノードによって実行されるワイヤレス通信のための装置が説明される。装置は、プロセッサ（processor）と、プロセッサと電子通信状態にあるメモリ（memory）と、メモリ中に記憶された命令（instruction）とを含み得る。命令は、装置に、時間同期されたワイヤレスネットワークの第２のノードから、時間同期されたワイヤレスネットワークのフレーム構造への第２のノードの第２のクロックの第２の時間のためのマッピングを識別するマッピング情報と同期情報とを含むタイミング同期信号を受信することと、マッピング情報及び同期情報に基づいて、第２のクロックの第２の時間に第１のクロックの第１の時間を同期させることとを行わせるようにプロセッサによって実行可能であり得る。
【０００９】
[0009]  時間同期されたワイヤレスネットワークの、第１の時間を有する第１のクロックに関連付けられた第１のノードによって実行されるワイヤレス通信のための別の装置が説明される。装置は、時間同期されたワイヤレスネットワークの第２のノードから、時間同期されたワイヤレスネットワークのフレーム構造への第２のノードの第２のクロックの第２の時間のためのマッピングを識別するマッピング情報と同期情報とを含むタイミング同期信号を受信するための手段と、マッピング情報及び同期情報に基づいて、第２のクロックの第２の時間に第１のクロックの第１の時間を同期させるための手段とを含み得る。
【００１０】
[0010]  時間同期されたワイヤレスネットワークの、第１の時間を有する第１のクロックに関連付けられた第１のノードによって実行されるワイヤレス通信のためのコード（code）を記憶する非一時的コンピュータ可読媒体（non-transitory computer-readable medium）が説明される。コードは、時間同期されたワイヤレスネットワークの第２のノードから、時間同期されたワイヤレスネットワークのフレーム構造への第２のノードの第２のクロックの第２の時間のためのマッピングを識別するマッピング情報と同期情報とを含むタイミング同期信号を受信することと、マッピング情報及び同期情報に基づいて、第２のクロックの第２の時間に第１のクロックの第１の時間を同期させることとを行うようにプロセッサによって実行可能な命令を含み得る。
【００１１】
[0011]  本明細書で説明される方法、装置、及び非一時的コンピュータ可読媒体のいくつかの例は、タイミング同期信号に基づいて、第１のノードのローカルワイヤードインターフェースのタイマ機能を構成することと、ここで、タイミング同期信号は、セルラワイヤレス通信リンクを通して受信され得る、  ローカルワイヤードインターフェースを介して第１のノードに接続されたデバイスにタイミング制御信号を送信することと、ここで、タイミング制御信号は、タイマ機能に基づき得る、  のための動作、特徴、手段、又は命令を更に含み得る。
【００１２】
[0012]  本明細書で説明される方法、装置、及び非一時的コンピュータ可読媒体のいくつかの例は、セルラワイヤレス通信リンクの少なくとも１つのメトリック（metric）が閾値（threshold）を満たすと決定することと、決定（determination）に基づいて、デバイスを制御するために、タイミング制御信号を送信することとのための動作、特徴、手段、又は命令を更に含み得る。
【００１３】
[0013]  本明細書で説明される方法、装置、及び非一時的コンピュータ可読媒体のいくつかの例では、セルラワイヤレス通信リンクの少なくとも１つのメトリックは、基準信号受信電力（ＲＳＲＰ：reference signal received power）、ＳＮＲ、信号対干渉及び雑音比（ＳＩＮＲ：signal-to-interference-and-noise ratio）、基準信号受信品質（ＲＳＲＱ：reference signal received quality）、帯域幅パラメータ（bandwidth parameter）、スループットパラメータ（throughput parameter）、又はそれらの組み合わせのための動作、特徴、手段、又は命令を含み得る。
【００１４】
[0014]  本明細書で説明される方法、装置、及び非一時的コンピュータ可読媒体のいくつかの例は、セルラワイヤレス通信リンクの少なくとも１つのメトリックが閾値を満たさないと決定することと、決定に基づいて、デバイスからのタイミング制御信号を保留する（withhold）こととのための動作、特徴、手段、又は命令を更に含み得る。
【００１５】
[0015]  本明細書で説明される方法、装置、及び非一時的コンピュータ可読媒体のいくつかの例は、精密時間プロトコル（ＰＴＰ：precision time protocol）機能、汎用ＰＴＰ機能（generalized PTP function）、又はタイミング及び同期プロトコル機能（timing and synchronization protocol function）としてタイマ機能を構成するための動作、特徴、手段、又は命令を更に含み得る。
【００１６】
[0016]  本明細書で説明される方法、装置、及び非一時的コンピュータ可読媒体のいくつかの例では、デバイスは、ローカルワイヤードインターフェースに接続され、第１のノードによって制御されるエンドデバイスであり得る。
【００１７】
[0017]  本明細書で説明される方法、装置、及び非一時的コンピュータ可読媒体のいくつかの例では、プライマリ同期信号（primary synchronization signal）、セカンダリ同期信号（secondary synchronization signal）、システム情報ブロック（system information block）、測位基準信号（positioning reference signal）、又はそれらの任意の組み合わせのうちの少なくとも１つを使用して、第２のノードからタイミング同期信号を受信する。
【００１８】
[0018]  本明細書で説明される方法、装置、及び非一時的コンピュータ可読媒体のいくつかの例では、同期情報は、基準時間（reference time）に関連付けられたタイムスタンプ識別子（timestamp identifier）と、基準時間に関連付けられた集約された遅延（aggregated delay）に関連する遅延識別子（delay identifier）とを含む。
【００１９】
[0019]  本明細書で説明される方法、装置、及び非一時的コンピュータ可読媒体のいくつかの例では、同期情報は、第１のノードによって使用される時間同期プロトコル（time synchronization protocol）に関連するプロトコル識別子（protocol identifier）を含む。
【００２０】
[0020]  本明細書で説明される方法、装置、及び非一時的コンピュータ可読媒体のいくつかの例では、時間同期プロトコルは、ＰＴＰ、汎用ＰＴＰ（generalized PTP）、又はタイミング及び同期プロトコル（timing and synchronization protocol）「のうちの少なくとも１つを含む。
【００２１】
[0021]  本明細書で説明される方法、装置、及び非一時的コンピュータ可読媒体のいくつかの例は、マッピング情報及び同期情報を受信することに基づいて、第２のノードの第２のクロックの第２の時間に第３のノード（third node）の第３のクロック（third clock）の第３の時間（third time）を同期させるために、第３のノードにマッピング情報及び同期情報を送信するための動作、特徴、手段、又は命令を更に含み得る。
【００２２】
[0022]  本明細書で説明される方法、装置、及び非一時的コンピュータ可読媒体のいくつかの例では、マッピング情報及び同期情報は、時間同期されたワイヤレスネットワークのセルラリンク（cellular link）のダウンリンク（downlink）又は時間同期されたワイヤレスネットワークのセルラリンクのアップリンク（uplink）上で受信され得る。
【００２３】
[0023]  本明細書で説明される方法、装置、及び非一時的コンピュータ可読媒体のいくつかの例では、マッピング情報は、第１の時間についての時間値（time value）と、フレーム番号（frame number）、ハイパーフレーム番号（hyper frame number）、システムフレーム番号（system frame number）、又はサブフレーム番号（subframe number）のうちの少なくとも１つのフレーム構造識別子（frame structure identifier）とを識別する。
【００２４】
[0024]  本明細書で説明される方法、装置、及び非一時的コンピュータ可読媒体のいくつかの例では、マッピング情報及び同期情報は、時間同期されたワイヤレスネットワークのセルラインターフェース（cellular interface）の制御チャネル（control channel）を使用して受信され得る。
【００２５】
[0025]  本明細書で説明される方法、装置、及び非一時的コンピュータ可読媒体のいくつかの例では、制御チャネルは、セルラインターフェースの制御プレーン又はユーザプレーン（control plane or a user plane）を使用して受信され得る。
【００２６】
[0026]  本明細書で説明される方法、装置、及び非一時的コンピュータ可読媒体のいくつかの例では、受信することは、識別情報（identification information）を受信することを含み、ここで、識別情報は、セルラリンク識別子（cellular link identifier）、ノード識別子（node identifier）、セル識別子（cell identifier）、無線ベアラ識別子（radio bearer identifier）、プロトコルデータユニットセッション識別子（protocol data unit session identifier）、又はプロトコルデータユニット接続識別子（protocol data unit connection identifier）のうちの少なくとも１つを含む。
【００２７】
[0027]  本明細書で説明される方法、装置、及び非一時的コンピュータ可読媒体のいくつかの例では、マッピング情報及び同期情報は、第１のノードに関連付けられた時間同期インスタンス（time synchronization instance）のセットのうちの第１の時間同期インスタンスに関連する。
【００２８】
[0028]  ワイヤレス通信の方法が説明される。方法は、ＵＥが、セルラワイヤレス通信リンクを通して基地局からタイミング同期信号を受信することと、タイミング同期信号に少なくとも部分的に基づいて、ＵＥのローカルワイヤードインターフェースのタイマ機能を構成することと、ローカルワイヤードインターフェースを介してＵＥに接続されたデバイスにタイミング制御信号を送信することとを含み得、ここで、タイミング制御信号は、タイマ機能に少なくとも部分的に基づく。
【００２９】
[0029]  ワイヤレス通信のための装置が説明される。装置は、ＵＥが、セルラワイヤレス通信リンクを通して基地局からタイミング同期信号を受信するための手段と、タイミング同期信号に少なくとも部分的に基づいて、ＵＥのローカルワイヤードインターフェースのタイマ機能を構成するための手段と、ローカルワイヤードインターフェースを介してＵＥに接続されたデバイスにタイミング制御信号を送信するための手段とを含み得、ここで、タイミング制御信号は、タイマ機能に少なくとも部分的に基づく。
【００３０】
[0030]  ワイヤレス通信のための別の装置が説明される。装置は、プロセッサと、プロセッサと電子通信状態にあるメモリと、メモリ中に記憶された命令とを含み得る。命令は、プロセッサに、ＵＥが、セルラワイヤレス通信リンクを通して基地局からタイミング同期信号を受信することと、タイミング同期信号に少なくとも部分的に基づいて、ＵＥのローカルワイヤードインターフェースのタイマ機能を構成することと、ローカルワイヤードインターフェースを介してＵＥに接続されたデバイスにタイミング制御信号を送信することとを行わせるように動作可能であり得、ここで、タイミング制御信号は、タイマ機能に少なくとも部分的に基づく。
【００３１】
[0031]  ワイヤレス通信のための非一時的コンピュータ可読媒体が説明される。非一時的コンピュータ可読媒体は、プロセッサに、ＵＥが、セルラワイヤレス通信リンクを通して基地局からタイミング同期信号を受信することと、タイミング同期信号に少なくとも部分的に基づいて、ＵＥのローカルワイヤードインターフェースのタイマ機能を構成することと、ローカルワイヤードインターフェースを介してＵＥに接続されたデバイスにタイミング制御信号を送信することとを行わせるように動作可能な命令を含み得、ここで、タイミング制御信号は、タイマ機能に少なくとも部分的に基づく。
【図面の簡単な説明】
【００３２】
【図１】[0032]  本開示の態様による、ワイヤレス通信のための時間同期をサポートするワイヤレス通信のためのシステムの一例を例示する。
【図２】[0033]  本開示の態様による、ワイヤレス通信のための時間同期をサポートするワイヤレス通信システムの一例を例示する。
【図３】[0034]  本開示の態様による、ワイヤレス通信のための時間同期をサポートするワイヤレス通信システムの一例を示す。
【図４】[0035]  本開示の態様による、ワイヤレス通信のための時間同期をサポートするプロセスの例を例示する。
【図５】本開示の態様による、ワイヤレス通信のための時間同期をサポートするプロセスの例を例示する。
【図６Ａ】[0036]  本開示の態様による、ワイヤレス通信のための時間同期をサポートするシステムのブロック図を示す。
【図６Ｂ】本開示の態様による、ワイヤレス通信のための時間同期をサポートするシステムのブロック図を示す。
【図６Ｃ】本開示の態様による、ワイヤレス通信のための時間同期をサポートするシステムのブロック図を示す。
【図６Ｄ】本開示の態様による、ワイヤレス通信のための時間同期をサポートするシステムのブロック図を示す。
【図７】本開示の態様による、ワイヤレス通信のための時間同期をサポートするシステムのブロック図を示す。
【図８】本開示の態様による、ワイヤレス通信のための時間同期をサポートするシステムのブロック図を示す。
【図９】[0037]  本開示の態様による、ワイヤレス通信のための時間同期をサポートするデバイスのブロック図を示す。
【図１０】本開示の態様による、ワイヤレス通信のための時間同期をサポートするデバイスのブロック図を示す。
【図１１】本開示の態様による、ワイヤレス通信のための時間同期をサポートするデバイスのブロック図を示す。
【図１２】[0038]  本開示の態様による、ワイヤレス通信のための時間同期をサポートするＵＥを含むシステムのブロック図を例示する。
【図１３】[0039]  本開示の態様による、ワイヤレス通信のための時間同期をサポートするフレーム構造の一例を例示する。
【図１４】[0040]  本開示の態様による、ワイヤレス通信のための時間同期をサポートする実例的な同期通信階層（synchronization communication hierarchy）を例示する。
【図１５】[0041]  本開示の態様による、ワイヤレス通信のための時間同期をサポートする実例的なサブフレームフォーマット（subframe format）を例示する。
【図１６】[0042]  本開示の態様による、ワイヤレス通信のための時間同期をサポートする分散型無線アクセスネットワーク（ＲＡＮ：radio access network）の実例的な論理アーキテクチャを例示する。
【図１７】[0043]  本開示の態様による、ワイヤレス通信のための時間同期をサポートする分散型ＲＡＮの物理アーキテクチャの一例を例示する。
【図１８】[0044]  本開示の態様による、ワイヤレス通信のための時間同期のための方法を例示する。
【図１９】本開示の態様による、ワイヤレス通信のための時間同期のための方法を例示する。
【図２０】本開示の態様による、ワイヤレス通信のための時間同期のための方法を例示する。
【図２１】本開示の態様による、ワイヤレス通信のための時間同期のための方法を例示する。
【図２２】本開示の態様による、ワイヤレス通信のための時間同期のための方法を例示する。
【図２３】本開示の態様による、ワイヤレス通信のための時間同期のための方法を例示する。
【詳細な説明】
【００３３】
[0045]  ワイヤレス通信システムは、ワイヤレスネットワーク上で動作するデバイスにタイミング情報を提供する、様々な基準信号、同期信号、及び同様のものを含み得る。典型的には、これらのタイミング信号（タイミング同期信号）は、アップリンク／ダウンリンクフレーム内で受信されているアップリンク／ダウンリンク信号をそれぞれサポートするフレーム／サブフレーム境界タイミング（frame/subframe boundary timing）を保証するためにワイヤレスデバイスによって使用される。従って、タイミング同期技法（timing synchronization technique）は、一般に、ワイヤレス通信を可能にするのに十分である。しかしながら、ワイヤレス通信において使用されるタイミング同期技法は、互いと正確に時間同期される他のデバイス（産業デバイスなど）のタイミング（例えば、同期）を制御するために従来使用されないことがある。
【００３４】
[0046]  本開示の態様は、ワイヤレス通信システムのコンテキストにおいて最初に説明される。本開示の態様は、デュアルインターフェースＵＥからの、産業用機械などのデバイスのためのタイミング制御のインプリメンテーションを提供する。ＵＥは、セルラインターフェース上でタイミング同期シグナリングを受信し、ＵＥのローカルワイヤードインターフェース上でタイマ機能を構成するためにタイミング同期信号を使用し得る。いくつかのケースでは、ＵＥは、第１の時間を有する第１のクロックに関連付けられ得、同期信号は、時間同期されたワイヤレスネットワークに関連付けられた第２のクロック（例えば、基地局に関連付けられたクロック）の第２の時間へのマッピングを含み得る。ＵＥは、同期信号内のマッピング情報に基づいて、第２のクロックに第１のクロック時間を同期させ得る。
【００３５】
[0047]  ローカルワイヤードインターフェースは、産業用機械などのエンドデバイスにＵＥを接続し得る。タイマ機能は、少なくともある特定の態様では、デバイスを制御するために、ローカルワイヤードインターフェースを通してデバイスにタイミング制御信号を提供し得る。それ故に、ＵＥは、ＵＥに接続されたエンドデバイスのためのタイミング制御信号を構成するために、セルラベースのタイミング同期シグナリング（cellular-based timing synchronization signaling）を使用し得る。いくつかの態様では、ＵＥは、ワイヤレスチャネル性能が閾値程度のタイミング精度をサポートするとき、エンドデバイスにタイミング制御信号を送信し得る。
【００３６】
[0048]  本開示の態様は更に、ワイヤレス通信のための時間同期に関する装置図、システム図、及びフローチャートによって例示され、それらを参照して説明される。
【００３７】
[0049]  図１は、本開示の様々な態様による、ワイヤレス通信システム１００の例を例示している。ワイヤレス通信システム１００は、基地局１０５、ＵＥ１１５、及びコアネットワーク１３０を含む。いくつかの例では、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａプロネットワーク、又はニューラジオ（ＮＲ：New Radio）ネットワークであり得る。いくつかのケースでは、ワイヤレス通信システム１００は、拡張ブロードバンド通信、超高信頼（例えば、ミッションクリティカル）通信、低レイテンシ通信、又は低コスト及び低複雑性デバイスとの通信をサポートし得る。
【００３８】
[0050]  基地局１０５は、１つ又は複数の基地局アンテナを介して、ＵＥ１１５とワイヤレスに通信し得る。本明細書で説明される基地局１０５は、ベーストランシーバ局、無線基地局、アクセスポイント、無線トランシーバ、ノードＢ、ｅノードＢ（ｅＮＢ）、次世代ノードＢもしくはギガノードＢ（それらのいずれもｇＮＢと呼ばれ得る）、ホームノードＢ、ホームｅノードＢ、又は何らかの他の適切な専門用語を含み得るか、又はそのように当業者によって呼ばれ得る。ワイヤレス通信システム１００は、異なるタイプの基地局１０５（例えば、マクロセル基地局又はスモールセル基地局）を含み得る。本明細書で説明されるＵＥ１１５は、マクロｅＮＢ、スモールセルｅＮＢ、ｇＮＢ、中継基地局、及び同様のものを含む、様々なタイプの基地局１０５及びネットワーク機器と通信することが可能であり得る。いくつかのケースでは、基地局１０５及びＵＥ１１５は、ノード（node）と呼ばれ得る。
【００３９】
[0051]  各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０に通信カバレッジを提供し得、基地局１０５とＵＥ１１５との間の通信リンク１２５は、１つ又は複数のキャリアを利用し得る。ワイヤレス通信システム１００に示される通信リンク１２５は、ＵＥ１１５から基地局１０５へのアップリンク送信、又は基地局１０５からＵＥ１１５へのダウンリンク送信を含み得る。ダウンリンク送信は、順方向リンク送信とも呼ばれ得、アップリンク送信は、逆方向リンク送信とも呼ばれ得る。
【００４０】
[0052]  基地局１０５のための地理的カバレッジエリア１１０は、地理的カバレッジエリア１１０の一部分のみを構成するセクタに分割され得、各セクタは、セルに関連付けられ得る。例えば、各基地局１０５は、マクロセル、スモールセル、ホットスポット、若しくは他のタイプのセル、又はそれらの様々な組み合わせに通信カバレッジを提供し得る。いくつかの例では、基地局１０５は、移動可能であり、従って、移動する地理的カバレッジエリア１１０に通信カバレッジを提供し得る。いくつかの例では、異なる技術に関連付けられた異なる地理的カバレッジエリア１１０は、重複し得、異なる技術に関連付けられた重複する地理的カバレッジエリア１１０は、同じ基地局１０５によって又は異なる基地局１０５によってサポートされ得る。ワイヤレス通信システム１００は、例えば、異なるタイプの基地局１０５が様々な地理的カバレッジエリア１１０にカバレッジを提供する異種ＬＴＥ／ＬＴＥ−Ａ／ＬＴＥ−Ａプロ又はＮＲネットワークを含み得る。
【００４１】
[0053]  「セル（cell）」という用語は、（例えば、キャリアを通した）基地局１０５との通信のために使用される論理通信エンティティを指し、同じ又は異なるキャリアを介して動作する近隣セルを区別するための識別子（例えば、物理セル識別子（ＰＣＩＤ：physical cell identifier）、仮想セル識別子（ＶＣＩＤ：virtual cell identifier））に関連付けられ得る。いくつかの例では、キャリアは、複数のセルをサポートし得、異なるセルは、異なるタイプのデバイスにアクセスを提供し得る異なるプロトコルタイプ（例えば、マシンタイプ通信（ＭＴＣ：machine-type communication）、ナローバンドモノのインターネット（ＮＢ−ＩｏＴ）、拡張モバイルブロードバンド（ｅＭＢＢ）、又はその他）に従って構成され得る。いくつかのケースでは、「セル」という用語は、論理エンティティが動作する地理的カバレッジエリア１１０（例えば、セクタ）の一部分を指し得る。
【００４２】
[0054]  ＵＥ１１５は、ワイヤレス通信システム１００全体を通じて分散され得、各ＵＥ１１５は、固定式又は移動式であり得る。ＵＥ１１５はまた、モバイルデバイス、ワイヤレスデバイス、リモートデバイス、ハンドヘルドデバイス、若しくは加入者デバイス、又は何らかの他の適切な専門用語で呼ばれ得、ここで、「デバイス（device）」は、ユニット、局、端末、又はクライアントとも呼ばれ得る。ＵＥ１１５はまた、セルラフォン、携帯情報端末（ＰＤＡ）、タブレットコンピュータ、ラップトップコンピュータ、又はパーソナルコンピュータなどのパーソナル電子デバイスであり得る。いくつかの例では、ＵＥ１１５はまた、ワイヤレスローカルループ（ＷＬＬ）局、モノのインターネット（ＩｏＴ）デバイス、あらゆるモノのインターネット（ＩｏＥ）デバイス、若しくはＭＴＣデバイス、又は同様のものを指し得、それらは、アプライアンス、ビークル、メータ、又は同様のものなどの様々な物品においてインプリメントされ得る。
【００４３】
[0055]  ＭＴＣ又はＩｏＴデバイスなど、いくつかのＵＥ１１５は、低コスト又は低複雑性デバイスであり得、（例えば、マシンツーマシン（Ｍ２Ｍ）通信を介した）マシン間の自動通信を提供し得る。Ｍ２Ｍ通信又はＭＴＣは、デバイスが人間の介入なしに互いと又は基地局１０５と通信することを可能にするデータ通信技術を指し得る。いくつかの例では、Ｍ２Ｍ通信又はＭＴＣは、情報を測定又はキャプチャし、その情報を利用するか、又はプログラム若しくはアプリケーションと対話する人間にその情報を提示することができる中央サーバ又はアプリケーションプログラムにその情報を中継するためのセンサ又はメータを統合するデバイスからの通信を含み得る。いくつかのＵＥ１１５は、情報を収集するか、又はマシンの自動化された挙動を可能にするように設計され得る。ＭＴＣデバイスのためのアプリケーションの例は、スマート計測、在庫（inventory）モニタリング、水位モニタリング、機器モニタリング、ヘルスケアモニタリング、野生生物モニタリング、天候及び地質学的イベントモニタリング、保有車両（fleet）管理及び追跡、リモートセキュリティ感知、物理アクセス制御、及びトランザクションベースのビジネス課金（transaction-based business charging）を含む。
【００４４】
[0056]  いくつかのＵＥ１１５は、半複信通信（例えば、送信又は受信を介した一方向通信をサポートするが、送信と受信とを同時にサポートしないモード）など、電力消費を低減する動作モードを用いるように構成され得る。いくつかの例では、半複信通信は、低減されたピークレートで実行され得る。ＵＥ１１５のための他の電力節約技法は、アクティブ通信に従事していないとき、又は（例えば、ナローバンド通信に従って）制限された帯域幅を通して動作しているとき、省電力「ディープスリープ（deep sleep）」モードに入ることを含む。いくつかのケースでは、ＵＥ１１５は、重要な機能（例えば、ミッションクリティカル機能）をサポートするように設計され得、ワイヤレス通信システム１００は、これらの機能のための超高信頼通信を提供するように構成され得る。
【００４５】
[0057]  いくつかのケースでは、ＵＥ１１５はまた、（例えば、ピアツーピア（Ｐ２Ｐ：peer-to-peer）又はデバイスツーデバイス（Ｄ２Ｄ：device-to-device）プロトコルを使用して）他のＵＥ１１５と直接通信することが可能であり得る。Ｄ２Ｄ通信を利用するＵＥ１１５のグループのうちの１つ又は複数は、基地局１０５の地理的カバレッジエリア１１０内にあり得る。そのようなグループ中の他のＵＥ１１５は、基地局１０５の地理的カバレッジエリア１１０の外部にあり得るか、又はそうでない場合は基地局１０５からの送信を受信することができない。いくつかのケースでは、Ｄ２Ｄ通信を介して通信するＵＥ１１５のグループは、各ＵＥ１１５がグループ中の全ての他のＵＥ１１５に送信する一対多（１：Ｍ）システムを利用し得る。いくつかのケースでは、基地局１０５は、Ｄ２Ｄ通信のためのリソースのスケジューリングを容易にする。他の場合には、Ｄ２Ｄ通信は、基地局１０５の関与なしにＵＥ１１５間で実行される。
【００４６】
[0058]  基地局１０５は、コアネットワーク１３０と、及び互いと通信し得る。例えば、基地局１０５は、バックホールリンク（backhaul link）１３２を通して（例えば、Ｓ１又は他のインターフェースを介して）コアネットワーク１３０とインターフェースし得る。基地局１０５は、直接（例えば、基地局１０５間で直接）又は間接的に（例えば、コアネットワーク１３０を介して）のいずれかで、バックホールリンク１３４を通して（例えば、Ｘ２又は他のインターフェースを介して）互いと通信し得る。
【００４７】
[0059]  コアネットワーク１３０は、ユーザ認証、アクセス認可、トラッキング、インターネットプロトコル（ＩＰ）接続性、及び他のアクセス、ルーティング、又はモビリティ機能を提供し得る。コアネットワーク１３０は、発展型パケットコア（ＥＰＣ）であり得、それは、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る。ＭＭＥは、ＥＰＣに関連付けられた基地局１０５によってサービングされるＵＥ１１５のためのモビリティ、認証、及びベアラ管理などの非アクセス層（例えば、制御プレーン）機能を管理し得る。ユーザＩＰパケットは、それ自体がＰ−ＧＷに接続され得るＳ−ＧＷを通して転送され得る。Ｐ−ＧＷは、ＩＰアドレス割り振り並びに他の機能を提供し得る。Ｐ−ＧＷは、ネットワークオペレータＩＰサービスに接続され得る。オペレータＩＰサービスは、インターネット、イントラネット（１つ以上）、ＩＰマルチメディアサブシステム（ＩＭＳ）、又はパケット交換（ＰＳ）ストリーミングサービスへのアクセスを含み得る。
【００４８】
[0060]  基地局１０５など、ネットワークデバイスのうちの少なくともいくつかは、アクセスネットワークエンティティなどのサブコンポーネントを含み得、それは、アクセスノードコントローラ（ＡＮＣ：access node controller）の一例であり得る。各アクセスネットワークエンティティは、いくつかの他のアクセスネットワーク送信エンティティを通してＵＥ１１５と通信し得、それらは、無線ヘッド、スマート無線ヘッド、又は送信／受信ポイント（ＴＲＰ：transmission/reception point）と呼ばれ得る。いくつかの構成では、各アクセスネットワークエンティティ又は基地局１０５の様々な機能は、様々なネットワークデバイス（例えば、無線ヘッド及びアクセスネットワークコントローラ）にわたって分散され得るか、又は単一のネットワークデバイス（例えば、基地局１０５）に統合され得る。
【００４９】
[0061]  ワイヤレス通信システム１００は、典型的には３００ＭＨｚ〜３００ＧＨｚの範囲内の１つ又は複数の周波数帯域を使用して動作し得る。一般に、３００ＭＨｚ〜３ＧＨｚの領域は、波長が約１デシメートル〜１メートルの長さに及ぶので、極超短波（ＵＨＦ）領域又はデシメートル帯域として知られている。ＵＨＦ波は、建物及び環境的特徴によってブロック又はリダイレクトされ得る。しかしながら、波は、マクロセルが屋内にロケートされたＵＥ１１５にサービスを提供するのに十分な構造を貫通し得る。ＵＨＦ波の送信は、３００ＭＨｚ未満のスペクトルの短波（ＨＦ）又は超短波（ＶＨＦ）部分のより小さい周波数及びより長い波を使用する送信と比較して、より小さいアンテナ及びより短い範囲（例えば、１００ｋｍ未満）に関連付けられ得る。
【００５０】
[0062]  ワイヤレス通信システム１００はまた、センチメートル帯域としても知られる、３ＧＨｚ〜３０ＧＨｚの周波数帯域を使用する極極超短波（ＳＨＦ）領域において動作し得る。ＳＨＦ領域は、他のユーザからの干渉を許容することができるデバイスによって日和見的に使用され得る、５ＧＨｍｕｌｔｉｐｌｅｚ産業科学医療（ＩＳＭ）帯域などの帯域を含む。
【００５１】
[0063]  ワイヤレス通信システム１００はまた、ミリメートル帯域としても知られる、スペクトルの極極極超短波（ＥＨＦ：extremely high frequency）領域（例えば、３０ＧＨｚ〜３００ＧＨｚ）において動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナより更に小さく、より密接に離間され得る。いくつかのケースでは、これは、ＵＥ１１５内のアンテナアレイの使用を容易にし得る。しかしながら、ＥＨＦ送信の伝搬は、ＳＨＦ又はＵＨＦ送信より更に大きい大気減衰及びより短い範囲を課され得る。本明細書で開示される技法は、１つ又は複数の異なる周波数領域を使用する送信にわたって用いられ得、これらの周波数領域にわたる帯域の指定された使用は、国又は規制機関によって異なり得る。
【００５２】
[0064]  いくつかのケースでは、ワイヤレス通信システム１００は、ライセンス無線周波数スペクトル帯域とアンライセンス無線周波数スペクトル帯域との両方を利用し得る。例えば、ワイヤレス通信システム１００は、５ＧＨｚ ＩＳＭ帯域などのアンライセンス帯域において、ライセンス支援アクセス（ＬＡＡ：License Assisted Access）、ＬＴＥ−アンライセンス（ＬＴＥ−Ｕ）無線アクセス技術、又はＮＲ技術を用い得る。アンライセンス無線周波数スペクトル帯域において動作するとき、基地局１０５及びＵＥ１１５などのワイヤレスデバイスは、データを送信する前に周波数チャネルがクリアであることを保証するためにリッスンビフォートーク（ＬＢＴ：listen-before-talk）プロシージャを用い得る。いくつかのケースでは、アンライセンス帯域における動作は、ライセンス帯域（例えば、ＬＡＡ）において動作するＣＣと併せてＣＡ構成に基づき得る。アンライセンススペクトルにおける動作は、ダウンリンク送信、アップリンク送信、ピアツーピア送信、又はこれらの組み合わせを含み得る。アンライセンススペクトルにおける複信は、周波数分割複信（ＦＤＤ）、時分割複信（ＴＤＤ）、又は両方の組み合わせに基づき得る。
【００５３】
[0065]  いくつかの例では、基地局１０５又はＵＥ１１５は、複数のアンテナを装備され得、それらは、送信ダイバーシティ、受信ダイバーシティ、多入力多出力（ＭＩＭＯ）通信、又はビームフォーミングなどの技法を用いるために使用され得る。例えば、ワイヤレス通信システム１００は、送信デバイス（例えば、基地局１０５）と受信デバイス（例えば、ＵＥ１１５）との間の送信方式を使用し得、ここで、送信デバイスは、複数のアンテナを装備され、受信デバイスは、１つ又は複数のアンテナを装備される。ＭＩＭＯ通信は、異なる空間レイヤを介して複数の信号を送信又は受信することによってスペクトル効率を増大させるためにマルチパス信号伝搬を用い得、それは、空間多重化と呼ばれ得る。複数の信号は、例えば、異なるアンテナ又はアンテナの異なる組み合わせを介して送信デバイスによって送信され得る。同様に、複数の信号は、異なるアンテナ又はアンテナの異なる組み合わせを介して受信デバイスによって受信され得る。複数の信号の各々は、別個の空間ストリームと呼ばれ得、同じデータストリーム（例えば、同じコードワード）又は異なるデータストリームに関連付けられたビットを搬送し得る。異なる空間レイヤは、チャネル測定及び報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００５４】
[0066]  空間フィルタリング、指向性送信、又は指向性受信とも呼ばれ得るビームフォーミングは、送信デバイスと受信デバイスとの間の空間経路に沿ってアンテナビーム（例えば、送信ビーム又は受信ビーム）を形成又はステアリングするために、送信デバイス又は受信デバイス（例えば、基地局１０５又はＵＥ１１５）において使用され得る信号処理技法である。ビームフォーミングは、アンテナアレイのアンテナ素子を介して通信される信号を、アンテナアレイに対して特定の向きで伝搬する信号が強め合う干渉を経験し、他の信号が弱め合う干渉を経験するように組み合わせることによって達成され得る。アンテナ素子を介して通信される信号の調整は、デバイスに関連付けられたアンテナ素子の各々を介して搬送される信号にある特定の振幅及び位相オフセットを適用する送信デバイス又は受信デバイスを含み得る。アンテナ素子の各々に関連付けられた調整は、（例えば、送信デバイス若しくは受信デバイスのアンテナアレイに対して、又は何らかの他の向きに対して）特定の向きに関連付けられたビームフォーミング重みセットによって定義され得る。
【００５５】
[0067]  一例では、基地局１０５は、ＵＥ１１５との指向性通信のためのビームフォーミング動作を行うために、複数のアンテナ又はアンテナアレイを使用し得る。例えば、いくつかの信号（例えば、同期信号、基準信号、ビーム選択信号、又は他の制御信号）は、異なる方向に複数回基地局１０５によって送信され得、それは、異なる送信方向に関連付けられた異なるビームフォーミング重みセットに従って送信される信号を含み得る。異なるビーム方向への送信は、基地局１０５による後続の送信及び／又は受信のためのビーム方向を（例えば、基地局１０５又はＵＥ１１５などの受信デバイスによって）識別するために使用され得る。特定の受信デバイスに関連付けられたデータ信号などのいくつかの信号は、単一のビーム方向（例えば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくとも部分的に基づいて決定され得る。例えば、ＵＥ１１５は、異なる方向に基地局１０５によって送信された信号のうちの１つ又は複数を受信し得、ＵＥ１１５は、最高の信号品質又はそうでない場合は許容可能な信号品質で受信した信号のインジケーションを基地局１０５に報告し得る。これらの技法は、基地局１０５によって１つ又は複数の方向に送信される信号に関して説明されるが、ＵＥ１１５は、（例えば、ＵＥ１１５による後続の送信又は受信のためのビーム方向を識別するために）異なる方向に複数回信号を送信するため、又は（例えば、受信デバイスにデータを送信するために）単一の方向に信号を送信するための同様の技法を用い得る。
【００５６】
[0068]  受信デバイス（例えば、ｍｍＷ受信デバイスの一例であり得るＵＥ１１５）は、同期信号、基準信号、ビーム選択信号、又は他の制御信号など、基地局１０５から様々な信号を受信するとき、複数の受信ビームを試行し得る。例えば、受信デバイスは、異なるアンテナサブアレイを介して受信することによって、異なるアンテナサブアレイに従って受信信号を処理することによって、アンテナアレイの複数のアンテナ素子において受信された信号に適用された異なる受信ビームフォーミング重みセットに従って受信することによって、又はアンテナアレイの複数のアンテナ素子において受信された信号に適用された異なる受信ビームフォーミング重みセットに従って受信信号を処理することによって、複数の受信方向を試行し得、それらのうちのいずれも、異なる受信ビーム又は受信方向に従って「リッスンする（listening）」と呼ばれ得る。いくつかの例では、受信デバイスは、（例えば、データ信号を受信するとき）単一のビーム方向に沿って受信するために、単一の受信ビームを使用し得る。単一の受信ビームは、異なる受信ビーム方向に従ってリッスンすることに少なくとも部分的に基づいて決定されたビーム方向（例えば、複数のビーム方向に従ってリッスンすることに少なくとも部分的に基づいて、最高の信号強度、最高の信号対雑音比、又はそうでない場合は許容可能な信号品質を有すると決定されたビーム方向）に揃えられ得る。
【００５７】
[0069]  いくつかのケースでは、基地局１０５又はＵＥ１１５のアンテナは、ＭＩＭＯ動作をサポートし得るか、又はビームフォーミングを送信若しくは受信し得る、１つ又は複数のアンテナアレイ内にロケートされ得る。例えば、１つ又は複数の基地局アンテナ又はアンテナアレイは、アンテナタワーなどのアンテナアセンブリにコロケート（collocate）され得る。いくつかのケースでは、基地局１０５に関連付けられたアンテナ又はアンテナアレイは、多様な地理的ロケーション中にロケートされ得る。基地局１０５は、基地局１０５がＵＥ１１５との通信のビームフォーミングをサポートするために使用し得るアンテナポートのいくつかの行及び列を有するアンテナアレイを有し得る。同様に、ＵＥ１１５は、様々なＭＩＭＯ又はビームフォーミング動作をサポートし得る１つ又は複数のアンテナアレイを有し得る。
【００５８】
[0070]  いくつかのケースでは、ワイヤレス通信システム１００は、階層化プロトコルスタックに従って動作するパケットベースのネットワークであり得る。ユーザプレーンでは、ベアラ又はパケットデータコンバージェンスプロトコル（ＰＤＣＰ）レイヤにおける通信は、ＩＰベースであり得る。無線リンク制御（ＲＬＣ：radio link control）レイヤは、いくつかのケースでは、論理チャネルを通して通信するために、パケットのセグメント化及びリアセンブリを実行し得る。媒体アクセス制御（ＭＡＣ）レイヤは、優先度処理（priority handling）及び論理チャネルのトランスポートチャネルへの多重化を実行し得る。ＭＡＣレイヤはまた、ハイブリッド自動再送要求（ＨＡＲＱ）を使用し、ＭＡＣレイヤにおいて再送信を提供して、リンク効率を改善し得る。制御プレーンでは、無線リソース制御（ＲＲＣ：Radio Resource Control）プロトコルレイヤは、ユーザプレーンデータのための無線ベアラをサポートする、ＵＥ１１５と基地局１０５又はコアネットワーク１３０との間のＲＲＣ接続の確立、構成、及び維持を提供し得る。物理（ＰＨＹ）レイヤにおいて、トランスポートチャネルは、物理チャネルにマッピングされ得る。
【００５９】
[0071]  いくつかのケースでは、ＵＥ１１５及び基地局１０５は、データが正常に受信される可能性を増大させるために、データの再送信をサポートし得る。ＨＡＲＱフィードバックは、データが通信リンク１２５を通して正しく受信される可能性を増大させる１つの技法である。ＨＡＲＱは、誤り検出（例えば、巡回冗長検査（ＣＲＣ）を使用する）、前方誤り訂正（ＦＥＣ：forward error correction）、及び再送信（例えば、自動再送要求（ＡＲＱ））の組み合わせを含み得る。ＨＡＲＱは、貧弱な無線条件（例えば、信号対雑音条件）でのＭＡＣレイヤにおけるスループットを改善し得る。いくつかのケースでは、ワイヤレスデバイスは、同一スロットＨＡＲＱフィードバックをサポートし得、ここで、デバイスは、特定のスロット中の前のシンボル中で受信されたデータのために、そのスロット中でＨＡＲＱフィードバックを提供し得る。他のケースでは、デバイスは、後続のスロット中で、又は何らかの他の時間間隔に従って、ＨＡＲＱフィードバックを提供し得る。
【００６０】
[0072]  ＬＴＥ又はＮＲにおける時間間隔は、基本時間単位の倍数で表され得、それは、例えば、Ｔs＝１／３０，７２０，０００秒のサンプリング期間を指し得る。通信リソースの時間間隔は、各々が１０ミリ秒（ｍｓ）の持続時間を有する無線フレームに従って編成され得、ここで、フレーム期間は、Ｔf＝３０７，２００Ｔsとして表され得る。無線フレームは、０〜１０２３の範囲のシステムフレーム番号（ＳＦＮ：system frame number）によって識別され得る。各フレームは、０〜９の番号付けされた１０個のサブフレームを含み得、各サブフレームは、１ｍｓの持続時間を有し得る。サブフレームは、各々が０．５ｍｓの持続時間を有する２つのスロットに更に分割され得、各スロットは、（例えば、各シンボル期間にプリペンドされたサイクリックプレフィックス（cyclic prefix）の長さに応じて）６又は７つの変調シンボル期間を包含し得る。サイクリックプレフィックスを除いて、各シンボル期間は、２０４８個のサンプリング期間を包含し得る。いくつかのケースでは、サブフレームは、ワイヤレス通信システム１００の最小スケジューリング単位であり得、送信時間間隔（ＴＴＩ：transmission time interval）と呼ばれ得る。他のケースでは、ワイヤレス通信システム１００の最小スケジューリング単位は、サブフレームより短くあり得るか、又は（例えば、短縮ＴＴＩ（ｓＴＴＩ：shortened TTI）のバーストにおいて、又はｓＴＴＩを使用する選択されたコンポーネントキャリアにおいて）動的に選択され得る。
【００６１】
[0073]  いくつかのワイヤレス通信システムでは、スロットは、１つ又は複数のシンボルを包含する複数のミニスロットに更に分割され得る。いくつかの事例では、ミニスロットのシンボル又はミニスロットは、スケジューリングの最小単位であり得る。各シンボルは、例えば、動作のサブキャリア間隔又は周波数帯域に応じて持続時間が異なり得る。更に、いくつかのワイヤレス通信システムは、複数のスロット又はミニスロットが共に集約（aggregate）され、ＵＥ１１５と基地局１０５との間の通信のために使用されるスロットアグリゲーション（slot aggregation）をインプリメントし得る。
【００６２】
[0074]  「キャリア（carrier）」という用語は、通信リンク１２５を通した通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、又は他のシグナリングを搬送し得る。キャリアは、予め定義された周波数チャネル（例えば、Ｅ−ＵＴＲＡ絶対無線周波数チャネル番号（ＥＡＲＦＣＮ：an E-UTRA absolute radio frequency channel number））に関連付けられ得、ＵＥ１１５による発見のためのチャネルラスタ（channel raster）に従って位置付けられ得る。キャリアは、（例えば、ＦＤＤモードでは）ダウンリンク若しくはアップリンクであり得るか、又は（例えば、ＴＤＤモードでは）ダウンリンク及びアップリンク通信を搬送するように構成され得る。いくつかの例では、キャリアを通して送信される信号波形は、（例えば、ＯＦＤＭ又はＤＦＴ−ｓ−ＯＦＤＭなどのマルチキャリア変調（ＭＣＭ：multi-carrier modulation）技法を使用して）複数のサブキャリアから構成され得る。
【００６３】
[0075]  キャリアの編成構造は、無線アクセス技術（例えば、ＬＴＥ、ＬＴＥ−Ａ、ＬＴＥ−Ａプロ、ＮＲ、等）によって異なり得る。例えば、キャリアを通した通信は、ＴＴＩ又はスロットに従って編成され得、それらの各々は、ユーザデータ並びにユーザデータの復号をサポートするための制御情報又はシグナリングを含み得る。キャリアはまた、専用獲得シグナリング（dedicated acquisition signaling）（例えば、同期信号又はシステム情報、等）と、キャリアのための動作を調整する制御シグナリングとを含み得る。いくつかの例では（例えば、キャリアアグリゲーション構成では）、キャリアはまた、他のキャリアのための動作を調整する獲得シグナリング又は制御シグナリングを有し得る。
【００６４】
[0076]  物理チャネルは、様々な技法に従ってキャリア上で多重化され得る。物理制御チャネル及び物理データチャネルは、例えば、時分割多重化（ＴＤＭ）技法、周波数分割多重化（ＦＤＭ）技法、又はハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間（例えば、共通制御領域又は共通探索空間と１つ又は複数のＵＥ固有制御領域又はＵＥ固有探索空間との間）に分散され得る。
【００６５】
[0077]  キャリアは、無線周波数スペクトルの特定の帯域幅に関連付けられ得、いくつかの例では、キャリア帯域幅は、キャリア又はワイヤレス通信システム１００の「システム帯域幅」と呼ばれ得る。例えば、キャリア帯域幅は、特定の無線アクセス技術のキャリアのためのいくつかの所定の帯域幅（例えば、１．４、３、５、１０、１５、２０、４０、又は８０ＭＨｚ）のうちの１つであり得る。いくつかの例では、各サービングされるＵＥ１１５は、キャリア帯域幅の一部分又は全てを通して動作するように構成され得る。他の例では、いくつかのＵＥ１１５は、キャリア内の予め定義された部分又は範囲（例えば、サブキャリア又はＲＢのセット）に関連付けられたナローバンドプロトコルタイプを使用する動作（例えば、ナローバンドプロトコルタイプの「インバンド」展開）のために構成され得る。
【００６６】
[0078]  ＭＣＭ技法を用いるシステムでは、リソース要素は、１つのシンボル期間（例えば、１つの変調シンボルの持続時間）と１つのサブキャリアとから成り得、ここで、シンボル期間とサブキャリア間隔とは、反比例する。各リソース要素によって搬送されるビットの数は、変調方式（例えば、変調方式の次数）に依存し得る。このことから、ＵＥ１１５が受信するリソース要素が多いほど、及び変調方式の次数が高いほど、ＵＥ１１５のデータレートは高くなり得る。ＭＩＭＯシステムでは、ワイヤレス通信リソースは、無線周波数スペクトルリソースと、時間リソースと、空間リソース（例えば、空間レイヤ）との組み合わせを指し得、複数の空間レイヤの使用は、ＵＥ１１５との通信のためのデータレートを更に増大させ得る。
【００６７】
[0079]  ワイヤレス通信システム１００のデバイス（例えば、基地局１０５又はＵＥ１１５）は、特定のキャリア帯域幅を通した通信をサポートするハードウェア構成を有し得るか、又はキャリア帯域幅のセットのうちの１つを通した通信をサポートするように構成可能であり得る。いくつかの例では、ワイヤレス通信システム１００は、１つより多くの異なるキャリア帯域幅に関連付けられたキャリアを介した同時通信をサポートすることができる基地局１０５及び／又はＵＥを含み得る。
【００６８】
[0080]  ワイヤレス通信システム１００は、複数のセル又はキャリア上でのＵＥ１１５との通信、即ち、キャリアアグリゲーション（ＣＡ：carrier aggregation）又はマルチキャリア動作と呼ばれ得る特徴をサポートし得る。ＵＥ１１５は、キャリアアグリゲーション構成に従って、複数のダウンリンクＣＣ及び１つ又は複数のアップリンクＣＣで構成され得る。キャリアアグリゲーションは、ＦＤＤコンポーネントキャリアとＴＤＤコンポーネントキャリアとの両方で使用され得る。
【００６９】
[0081]  いくつかのケースでは、ワイヤレス通信システム１００は、拡張コンポーネントキャリア（ｅＣＣ：enhanced component carrier）を利用し得る。ｅＣＣは、より広いキャリア又は周波数チャネル帯域幅、より短いシンボル持続時間、より短いＴＴＩ持続時間、又は修正された制御チャネル構成を含む、１つ又は複数の特徴によって特徴付けられ得る。いくつかのケースでは、ｅＣＣは、（例えば、複数のサービングセルが準最適の又は理想的でないバックホールリンクを有するとき）デュアルコネクティビティ（dual connectivity）構成又はキャリアアグリゲーション構成に関連付けられ得る。ｅＣＣはまた、（例えば、１つより多くのオペレータがスペクトルを使用することを許可される）アンライセンススペクトル又は共有スペクトルにおける使用のために構成され得る。広いキャリア帯域幅によって特徴付けられるｅＣＣは、キャリア帯域幅全体を監視することが可能でないか、又は（例えば、電力を節約するために）制限されたキャリア帯域幅を使用するように別様に構成されたＵＥ１１５によって利用され得る１つ又は複数のセグメントを含み得る。
【００７０】
[0082]  いくつかのケースでは、ｅＣＣは、他のＣＣとは異なるシンボル持続時間を利用し得、それは、他のＣＣのシンボル持続時間と比較して、低減されたシンボル持続時間の使用を含み得る。より短いシンボル持続時間は、隣接するサブキャリア間の増大した間隔に関連付けられ得る。ｅＣＣを利用するＵＥ１１５又は基地局１０５などのデバイスは、低減されたシンボル持続時間（例えば、１６．６７マイクロ秒）で（例えば、２０、４０、６０、８０ＭＨｚ、等の周波数チャネル又はキャリア帯域幅に従って）ワイドバンド信号を送信し得る。ｅＣＣにおけるＴＴＩは、１つ又は複数のシンボル期間から成り得る。いくつかのケースでは、ＴＴＩ持続時間（即ち、ＴＴＩ中のシンボル期間の数）は、可変であり得る。
【００７１】
[0083]  ＮＲシステムなどのワイヤレス通信システムは、とりわけ、ライセンス、共有、及びアンライセンススペクトル帯域の任意の組み合わせを利用し得る。ｅＣＣシンボル持続時間及びサブキャリア間隔の柔軟性は、複数のスペクトルにわたるｅＣＣの使用を可能にし得る。いくつかの例では、ＮＲ共有スペクトルは、リソースの動的垂直（例えば、周波数にわたる）及び水平（例えば、時間にわたる）共有を特に通じて、スペクトル利用及びスペクトル効率を増大させ得る。
【００７２】
[0084]  いくつかのケースでは、ネットワークの複数のノード（例えば、基地局１０５及びＵＥ１１５）は、メッセージのセットを使用して通信し得る。例えば、第１のエンドポイントノードは、１つ又は複数の他のノードを介して第２のエンドポイントノードにメッセージを送信し得る。ワイヤラインネットワークは、米国電気電子学会（ＩＥＥＥ）８０２．１ＡＳの「Timing and Synchronization for Time-Sensitive Applications in Bridged Local Area Networks」など、時間同期技法又は精密時間プロトコル（ＰＴＰ：precision time protocol）をインプリメントし得る。ＩＥＥＥ８０２．１ＡＳは、ネットワークのワイヤラインリンクのセットのための分散型ＰＴＰを定義する。例えば、工場設定では、自動機械に関連付けられたノードは、閾値レベルの同期（例えば、１秒以内、０．１秒以内、０．０１秒以内、０．００１秒以内、０．０００１秒以内、及び／又は同様のものへのクロック同期）内への自動機械の同期動作を保証するために、時間同期技法をインプリメントし得る。
【００７３】
[0085]  ＰＴＰなどのいくつかの時間同期技法では、（例えば、基地局及び／又はスイッチに関連付けられた）ノードは、グランドマスタ（ＧＭ：grand master）機能を含み得、それは、基準時間を提供する時間ソースを含み得る。ノードは、ノードにワイヤライン接続を介して接続されたピアノード（例えば、他の基地局）にＰＴＰメッセージを送信し得る。ピアデバイスは、ＰＴＰメッセージを処理し得、ネットワーク中の後続のエンドデバイスにＰＴＰメッセージを伝搬し得る。ＰＴＰメッセージは、ＧＭ機能のタイムスタンプなど、基準時間を識別するタイムスタンプインジケータを含み得、第１のノードから第２のノード、第３のノード、及び／又は同様のものへのＰＴＰメッセージの伝搬に関連する集約された遅延を識別する集約された遅延インジケータ（aggregated delay indicator）を含み得る。
【００７４】
[0086]  集約された遅延は、ワイヤラインリンクにわたってＰＴＰメッセージを伝搬するための伝搬遅延、ノードによる内部処理のための滞留遅延（residence delay）、及び／又は同様のものを含み得る。例えば、第１のノードから第２のノード、及び第３のノードへのＰＴＰメッセージの伝搬の場合、集約された遅延は、第１のノードと第２のノードとの間の第１のリンク上での伝搬のための時間期間、第２のノードによる処理のための時間期間、及び第２のノードと第３のノードとの間の第２のリンク上での伝搬のための時間期間、及び／又は同様のものを含み得る。各ノードは、ネットワーク中の次のエンドデバイスにＰＴＰメッセージを伝搬する前に、集約された遅延を更新し得る。第１のノードは、ラウンドトリップタイム（ＲＴＴ：round-trip-time）測定値を使用して第２のノードと通信することに関連付けられた伝搬遅延を決定し得る。ＲＴＴ測定値は、到着時間情報、出発時間、情報、及び／又は同様のものを提供するためのハンドシェイクメッセージ交換を含み得る。
【００７５】
[0087]  ノードがエンドデバイスからＰＴＰメッセージを受信するとき、ノードは、ＰＴＰメッセージが最初に送信された基準時間と、ＰＴＰメッセージの伝搬に関連付けられた集約された遅延とに少なくとも部分的に基づいて、ＧＭ機能の現在時間を導出し得る。このように、ノードは、ノードの時間ソースと他のノードの他の時間ソースとの時間同期を維持し得る。しかしながら、いくつかのネットワークは、セルラリンク、ワイヤレスローカルエリアネットワーク（ＷＬＡＮ）リンク、ワイヤレスワイドエリアネットワーク（ＷＷＡＮ）リンク、及び／又は同様のものなどのワイヤレスリンクを含み得る。このケースでは、ワイヤレスリンクが伝搬時間に関して非対称及び／又は非決定論的であるとき、伝搬遅延算出は不正確であり得る。その上、ＰＴＰ技法は、ワイヤレスリンクに利用不可能であり得るイーサネットレイヤに関連付けられた遅延測定を利用し得る。結果として、ＰＴＰ測定は、ワイヤレスリンクを含むネットワークのノードのための閾値レベルの時間同期を達成できないことがある。
【００７６】
[0088]  本明細書で説明されるいくつかの態様は、ワイヤレス通信のための時間同期を提供し得る。例えば、第１のノード（例えば、基地局１０５）は、第１のノードの第１の時間ソースと時間同期されたワイヤレスネットワークのフレーム構造との間のマッピングを決定し得、時間同期されたワイヤレスネットワークの第２のノード（例えば、ＵＥ１１５）にマッピングを識別する情報を提供し得る。このケースでは、第２のワイヤレスノードは、マッピングに少なくとも部分的に基づいて、第１のノードとの時間同期のための基準時間を導出し得る。このように、第１のノード及び第２のノードは、ワイヤレスリンクを使用して同期された時間ソースを維持し得る。その上、第１のノード又は第２のノードのうちの少なくとも１つがネットワークのワイヤライン部分に接続されていることに少なくとも部分的に基づいて、本明細書で説明されるいくつかの態様は、時間同期技法を使用するワイヤラインネットワークとそれに接続されたワイヤレスネットワークとの両方を含む異種ネットワークのための時間同期を可能にし得る。
【００７７】
[0089]  いくつかの態様では、第２のノードは、タイミング同期信号上でローカルワイヤードインターフェースのタイマ機能を（例えば、第１のノードからワイヤレスインターフェースを介して受信された時間同期に基づいて）構成し得る。第２のノードは、ローカルワイヤードインターフェースを介して第２に接続されたデバイス（例えば、産業センサ又はマシンなどのエンドデバイス）にタイミング制御信号を送信し得、ここで、タイミング制御信号は、タイマ機能に基づく。
【００７８】
[0090]  図２は、本開示の様々な態様による、ワイヤレス通信のための時間同期をサポートするワイヤレス通信システム２００の一例を例示する。いくつかの例では、ワイヤレス通信システム２００は、ワイヤレス通信システム１００の態様をインプリメントし得る。一般に、ワイヤレス通信システム２００は、セルラシステムを通してエンドツーエンドタイミング同期サービスの一例を提供する。
【００７９】
[0091]  一般に、ワイヤレス通信システム２００は、タイミング同期が用いられ得る産業アプリケーションの一例を例示する。いくつかの態様では、ワイヤレス通信システム２００のコンポーネント（１つ以上）は、ワイヤレス通信システム１００に関して説明されたような、ＬＴＥ／ＬＴＥ−Ａ、ｍｍＷ、ＮＲ、等のネットワークにおけるコアネットワークの一部であり得る。いくつかの態様では、産業グレードデバイスを含む、そのようなネットワークにおいて動作する１つ又は複数のデバイスは、定義された精度レベルを満たすタイミング同期を必要とし得る。
【００８０】
[0092]  いくつかの態様では、ローカル通信ネットワークにおけるタイミング同期技法は、そのようなタイミング同期を提供するために、ＰＴＰ技法（又は汎用ＰＴＰ若しくはタイミング及び同期プロトコルなどの同様の同期プロトコル）を使用し得る。ＰＴＰ技法は、各デバイスにおけるマスタ時間からのタイミングオフセットを識別するために、遅延要求−応答メッセージがローカル通信ネットワークを通して交換される遅延応答機構を含み得る。要求−応答交換は、通過遅延（transit delays）（例えば、メッセージ送信とメッセージ受信との間の時間）と、透過クロック（transparent clock）として働く中間デバイス（intermediary device）がある事例では、滞留時間（residence time）（例えば、中間デバイスがメッセージを受信するときと中間デバイスがメッセージを中継するときとの間の時間）とを識別し得る。
【００８１】
[0093]  いくつかの態様では、セルラネットワークにおけるタイミング同期技法は、ワイヤレスネットワーク上で動作するデバイスにタイミング情報を提供する、様々な基準信号、同期信号、及び同様のものを含み得る。典型的には、タイミング信号（タイミング同期信号）は、アップリンク／ダウンリンクフレーム内で受信されているアップリンク／ダウンリンク信号をそれぞれサポートするフレーム／サブフレーム境界タイミングを保証するためにワイヤレスデバイスによって使用される。
【００８２】
[0094]  従って、産業アプリケーションとのローカル通信ネットワークにおけるタイミング同期は、セルラネットワークにおけるタイミングとは異なり、且つ異なる目的を有し得る。産業環境におけるタイミングは、各デバイスが正確な時間でその機能を実行することを保証するように設計され得るが、セルラネットワークにおけるタイミングは、一般に、より寛大であり、デバイスが互いと通信し得る時間窓（window of time）を提供する。ワイヤレス通信システム２００では、説明される技法の態様は、ローカル通信ネットワークにおけるタイミング同期の１つ又は複数の技法をセルラワイヤレスネットワークのものと組み合わせ得る。
【００８３】
[0095]  ワイヤレス通信システム２００は、ローカル通信ネットワークを通して接続された、サーバ２０５と、コントローラ２１０と、時間ソース２１５と、スイッチ２２０と、基地局２２５とを含み得る。一般に、サーバ２０５は、１つ又は複数の従来のサーバ機能を実行するなど、様々なネットワーク機能を提供し得る。コントローラ２１０及び時間ソース２１５は一般に、例えば、スイッチ２２０を介して、基地局２２５にローカル通信ネットワークのコンポーネントのためのタイミング同期信号を提供し得る。例えば、コントローラ２１０は、時間ソース２１５からタイミング信号を受信し、タイミング情報のインジケーションを搬送又は別様に伝達するように、１つ又は複数のメッセージ、信号、等を構成し得る。タイミング情報は、絶対タイミング情報、例えば、実際の時間のインジケーション、又は相対タイミング情報、例えば、定義されたイベントに対する時間、基準時間、開始時間、等のインジケーションであり得る。
【００８４】
[0096]  基地局２２５は、概して、コントローラ２１０／時間ソース２１５からタイミング情報を受信し、様々なタイミング同期信号を送信するときにタイミング情報を使用し得る。例えば、基地局２２５は、ＵＥ２３０など、そのカバレッジエリア内のＵＥに、ワイヤレスチャネルにわたって、基準信号（１つ以上）、同期信号（１つ以上）、ビーム管理信号（１つ以上）、及び同様のものの任意の組み合わせを含むタイミング同期信号を送信し得る。タイミング同期信号は、タイミング情報、例えば、絶対又は相対タイミング情報のインジケーションを搬送又は別様に伝達し得る。
【００８５】
[0097]  いくつかの態様では、ＵＥ２３０は、タイミング精度閾値内で動作していることがある。図２の非限定的な例では、これは、ＵＥ２３０がデバイス２３５にタイミング制御信号を提供することを含み得、ここで、デバイス２３５は、所与のタスク、例えば、同期されなければならないデバイス２３５のコンポーネントの移動を実行するために厳密なタイミング同期を必要とする。他の態様では、ＵＥ２３０は、他のシナリオに基づいて、例えば、センサ情報、安全メッセージ、及び同様のものの座標が厳しいレイテンシ及び信頼性要件を有するビークルベースの展開において、タイミング精度閾値内で動作していることがある。
【００８６】
[0098]  いくつかの態様では、ＵＥ２３０は、セルラワイヤレス通信インターフェースとローカルワイヤードインターフェースとを用いて構成されるデュアルインターフェースＵＥであり得る。ＵＥ２３０は、セルラインターフェースを通して基地局２２５からタイミング同期信号を受信し、ローカルワイヤードインターフェースを通してデバイス２３５と通信し得る。いくつかの態様では、ローカルワイヤードインターフェースは、直接接続であり、例えば、ローカル通信ネットワークではない。他の態様では、ローカルワイヤードインターフェースは、ローカル通信ネットワークを通した通信のために構成される。ローカルワイヤードインターフェースは、ＵＥ２３０が基地局２２５から受信されたタイミング同期信号を用いて構成するタイマ機能（例えば、１つ又は複数のクロック、タイマ、等）を含み得る。ＵＥ２３０は、ローカルワイヤードインターフェースを通してデバイス２３５にタイミング制御信号を送信し得る。例えば、ＵＥ２３０は、タイマ機能に基づいてタイミング制御信号を生成し得る。それ故に、ＵＥ２３０は、基地局２２５から受信されたタイミング同期信号に基づくタイミング制御信号を使用して、デバイス２３５の動作の態様を管理又は制御し得る。
【００８７】
[0099]  いくつかの態様では、タイミング制御信号を送信するＵＥ２３０は、基地局２２５とＵＥ２３０との間のワイヤレスリンクのチャネル性能に基づき得る。例えば、ＵＥ２３０は、ワイヤレスリンクに関連付けられたメトリック（１つ以上）、例えば、ＳＩＮＲ、帯域幅、スループット、チャネル品質、等に基づいてタイマ機能を構成し得る。チャネルメトリックが閾値を満たすとき、例えば、チャネル性能がデバイス２３５のタイミング精度要件（timing accuracy requirement）を満たすのに適しているとき、ＵＥは、タイミング制御信号を送信し得る。チャネルメトリックが閾値を満たさないとき、ＵＥ２３０は、タイミング制御信号を保留し得る。
【００８８】
[0100]  図３は、本開示の様々な態様による、ワイヤレス通信のための時間同期をサポートするワイヤレス通信システム３００の一例を例示する。いくつかの例では、ワイヤレス通信システム３００は、ワイヤレス通信システム１００／２００の態様をインプリメントし得る。ワイヤレス通信システム３００は、基地局３０５と、ＵＥ３１０と、デバイス３１５とを含み得、それらは、本明細書で説明される対応するデバイスの例であり得る。
【００８９】
[0101]  一般に、基地局３０５は、タイミング同期信号を搬送又は別様に伝達する多様な信号を送信し得る。タイミング同期信号は、基準信号（１つ以上）、同期信号（１つ以上）、ビーム管理基準信号（１つ以上）、及び同様のものの任意の組み合わせを含み得る。基地局３０５は、ＵＥ３１０など、そのカバレッジエリア内で動作するＵＥの一部又は全てに、無線でタイミング同期信号を送信し得る。
【００９０】
[0102]  ＵＥ３１０は、２つの（又はより多くの）インターフェースで構成され得、ここで、各インターフェースは、ＵＥ３１０が別個のプロトコル、言語、媒体、及び同様のものを使用して通信するための機構を提供する。例えば、ＵＥ３１０は、セルラインターフェース３２０と、ローカルワイヤードインターフェース３２５とを含み得る。セルラインターフェース３２０は、ＵＥ３１０のためのワイヤレス通信機能を提供し得、それは、基地局３０５とＵＥ３１０との間のワイヤレス通信をサポートし得る。このことから、ＵＥ３１０は、セルラインターフェース３２０を使用してセルラワイヤレス通信リンクを通して基地局３０５からタイミング同期信号を受信し得る。
【００９１】
[0103]  いくつかの態様では、ローカルワイヤードインターフェース３２５は、デバイス３１５間のハードワイヤード接続を通して直接通信機能を提供し得る。例えば、ローカルワイヤードインターフェース３２５は、様々なプロトコル、例えば、マシン語、ＩＰトラフィック、又は任意の他の言語プロトコルを使用してデバイス３１５と通信するＵＥ３１０をサポートし得る。いくつかの例では、ローカルワイヤードインターフェース３２５がシリアルインターフェース又はパラレルインターフェースであり得るように、ＵＥ３１０はデバイス３１５に統合される、又はその逆も同様である。
【００９２】
[0104]  いくつかの態様では、ローカルワイヤードインターフェース３２５は、ＵＥ３１０が基地局３０５から受信されたタイミング同期信号（１つ以上）に基づいて構成するタイマ機能（例えば、１つ又は複数のクロック、カウンタ、及び同様のもの）を含み得る。例えば、ＵＥ３１０は、動作クロックを設定するため、相対クロックを確立するため、等のために、タイミング同期信号中のタイミング情報を使用し得る。ＵＥ３１０は、ローカルワイヤードインターフェース３２５を使用して、且つタイマ機能に基づいて、デバイス３１５にタイミング制御信号を送信し得る。
【００９３】
[0105]  いくつかの態様では、これは、ＵＥ３１０がデバイス３１５の態様（１つ以上）を制御又は別様に管理することを含み得る。例えば、デバイス３１５は、ＵＥ３１０によって制御されるエンドデバイスであり得る（例えば、任意の他のデバイス／ＵＥに接続されないことがある）。一例として、タイミング制御信号は、同期されたタイミング、移動、等を必要とするデバイス３１５の様々な機構のための動作制御を提供し得る。非限定的な一例では、ＵＥ３１０は、タイマ機能としてＰＴＰ機能を構成し、ＰＴＰコマンドを使用してデバイス３１５にタイミング制御信号を送信し得る。
【００９４】
[0106]  いくつかの態様では、ＵＥ３１０は、例えば、４Ｇ／５Ｇモデムとして構成されたセルラインターフェース３２０を通して、基地局３０５からタイミングを受信する。このタイミング情報は、例えば、ローカルワイヤードインターフェース３２５又はイーサネットインターフェースなどの別のインターフェース上でタイミングを制御するために使用され得る。非限定的な一例として、これは、ＵＥ３１０が（ハードウェア上のクロックなどの）イーサネットハードウェア上で時間を構成することを含み得る。この構成された時間は、ＰＴＰ技法によって使用され得る。このことから、ある特定の態様は、別のインターフェース上でタイミングを制御するために、ワイヤレスインターフェース上で受信されたタイミング情報を使用することを含む。例えば、ＵＥ３１０は、タイミング情報に基づいて第２のインターフェース上のクロックを調整し得る。ＵＥ３１０は、タイミング情報を使用し、第２のインターフェースを修正して、第２のインターフェースを通して接続されたデバイスを制御し得る。
【００９５】
[0107]  図４は、本開示の様々な態様による、ワイヤレス通信のための時間同期をサポートするプロセス４００の一例を例示する。いくつかの例では、プロセス４００は、ワイヤレス通信システム１００／２００／３００の態様をインプリメントし得る。プロセス４００は、基地局４０５と、ＵＥ４１０と、デバイス４１５とを含み得、それらは、本明細書で説明される対応するデバイスの例であり得る。いくつかの態様では、デバイス４１５は、ローカルワイヤードインターフェースに接続され、ＵＥ４１０によって制御されるエンドデバイスである。
【００９６】
[0108]  ４２０において、基地局３０５は、セルラワイヤレス通信リンクを通してタイミング同期信号を送信し得る（及びＵＥ３１０は受信し得る）。タイミング同期信号は、プライマリ同期信号、セカンダリ同期信号、システム情報ブロック（ＳＩＢ：system information block）、測位基準信号（ＰＲＳ：positioning reference signal）、及び同様のものの任意の組み合わせを含み得る。
【００９７】
[0109]  ４２５において、ＵＥ４１０は、タイミング同期信号に基づいて、ＵＥ４１０のローカルワイヤードインターフェースのタイマ機能を構成し得る。いくつかの態様では、これは、ＵＥ４１０がＰＴＰ機能としてタイマ機能を構成することを含み得る。
【００９８】
[0110]  ４３０において、ＵＥ４１０は、ローカルワイヤードインターフェースを介してタイミング制御信号を送信し得る（及びデバイス４１５は受信し得る）。タイミング制御信号は、タイマ機能に基づき得る。
【００９９】
[0111]  いくつかの態様では、ＵＥ４１０は、セルラワイヤレス通信リンクのチャネル性能に応じて、タイマ機能を構成し、タイミング制御信号を送信し得る。セルラワイヤレス通信リンクのメトリックは、基準信号受信電力（ＲＳＲＰ）、信号対雑音比（ＳＮＲ：signal-to-noise ratio）、信号対干渉及び雑音比（ＳＩＮＲ）、基準信号受信品質（ＲＳＲＱ）、帯域幅パラメータ、スループットパラメータ、及び同様のものの任意の組み合わせを含み得る。例えば、ＵＥ４１０は、セルラワイヤレス通信リンクの少なくとも１つのメトリックが閾値を満たすと決定し、決定に少なくとも部分的に基づいて、デバイス４１５を制御するために、タイミング制御信号を送信し得る。例えば、ＵＥ４１０が、ＲＳＲＰ、ＲＳＲＱ、ＳＮＲ、又はＳＩＮＲが対応する閾値を上回ると決定した場合、ＵＥ４１０は、デバイス４１５のタイミングがセルラワイヤレス通信リンクを介して受信されたタイミング情報に基づき得ると決定し得る。別の例では、ＵＥ４１０が、セルラワイヤレス通信リンクの帯域幅又はスループットが十分に高いと決定した場合、ＵＥ４１０は、デバイス４１５のタイミングがセルラワイヤレス通信リンクを介して受信されたタイミング情報に基づき得ると決定し得る。メトリックが閾値を満たさないとＵＥ４１０が決定した場合、ＵＥ４１０は、タイミング制御信号を保留し得る。
【０１００】
[0112]  図５に、本開示の態様による、ワイヤレス通信のための時間同期をサポートするプロセス５００の一例を例示する。いくつかの例では、プロセス５００は、ワイヤレス通信システム１００、２００、及び３００の態様、並びにプロセス４００の態様をインプリメントし得る。プロセス５００は、送信ノード５０５−ａと受信ノード５０５−ｂとを含み得、それらは、本明細書で説明される基地局及び／又はＵＥの例であり得る。
【０１０１】
[0113]  送信ノード５０５−ａ（例えば、基地局）は、受信ノード５０５−ｂ（例えば、ＵＥ）のためのダウンストリーム時間同期（downstream time synchronization）を可能にし得る。送信ノード５０５−ａは、マスタクロック機能（master clock function）５１０−ａ及びフレームクロック（frame clock）５１５に関連付けられ得る。同様に、受信ノード５０５−ｂは、スレーブクロック機能（slave clock function）５１０−ｂ及びフレームクロック５１５に関連付けられ得る。このケースでは、フレームクロック５１５は、送信ノード５０５−ａと受信ノード５０５−ｂとの間のセルラリンク（例えば、５Ｇリンク）のための時間同期フレーム構造に関連付けられる。参照番号５２０によって示されるように、送信ノード５０５−ａは、（例えば、ワイヤライン接続、ワイヤレス接続、及び／又は同様のものによって、図２を参照して説明された時間ソース２１５を有するスイッチ２２０からなど、送信ノード５０５のアップストリームノードから）ＰＴＰメッセージを受信し得る。例えば、送信ノード５０５−ａは、アップストリームＧＭ機能のための基準タイムスタンプ（reference timestamp）、送信ノード５０５−ａへのＰＴＰメッセージの伝搬に関連付けられた集約された遅延、及び／又は同様のものを識別する情報を含むＰＴＰメッセージを受信し得る。このケースでは、送信ノード５０５−ａは、ＰＴＰメッセージに少なくとも部分的に基づいて、アップストリームＧＭ機能の基準時間にマスタクロック機能５１０−ａを同期させ得る。追加的に又は代替的に、送信ノード５０５−ａは、マスタクロック機能５１０−ａとしてＧＭ機能をインプリメントし得る。
【０１０２】
[0114]  図５に参照番号５２５によって更に示されるように、送信ノード５０５−ａは、マスタクロック機能５１０−ａとフレームクロック５１５との間のマッピングを決定し得る。例えば、送信ノード５０５−ａは、送信ノード５０５−ａのマスタクロック機能５１０−ａの第１の時間値１０３がフレームクロック５１５の第２の時間値７６にマッピングすることを決定し得る。いくつかの態様では、送信ノード５０５−ａは、特定のシステムフレーム番号、特定のハイパーフレーム番号、及び／又は同様のものに関連付けられたフレーム境界など、フレームクロック５１５の属性にマスタクロック機能５１０−ａの時間値をマッピングし得る。参照番号５３０によって示されるように、送信ノード５０５−ａは、マスタクロック機能５１０−ａ及びアップストリームＧＭ機能に受信ノード５０５−ｂのスレーブクロック機能５１０−ｂを時間同期させるために、受信ノード５０５−ｂに１つ又は複数のメッセージを送信し得る。いくつかの態様では、フレームクロック５１５は、プライマリ同期信号、セカンダリ同期信号、ＰＲＳ、サウンディング基準信号（ＳＲＳ：sounding reference signal）、タイミングアドバンス信号（timing advance signal）、観測到着時間差（ＯＴＤＯＡ：observed time difference of arrival）遅延決定技法、アップリンク到着時間差（ＵＴＤＯＡ：uplink-time difference of arrival）遅延決定技法、及び／又は同様のものを使用して時間同期を維持し得る。
【０１０３】
[0115]  いくつかの態様では、マッピング情報を、送信ノード５０５−ａは送信し得、受信ノード５０５−ｂは受信し得る。例えば、１つ又は複数のメッセージは、マッピング、マッピング：ｄＴ＝１０３−７６＝２７、及び／又は同様のものを識別する情報を含み得る。追加的に又は代替的に、送信ノード５０５−ａは、（例えば、マスタクロック機能５１０−ａの時間のための）時間識別子と、フレーム番号、ハイパーフレーム番号（ＨＦＮ：hyper frame number）、ＳＦＮ、サブフレーム番号、及び／又は同様のもののフレーム構造識別子とを含むマッピング情報を送信し得る。このケースでは、受信ノード５０５−ｂは、時間識別子及びフレーム構造識別子を使用して、マスタクロック機能５１０−ａとフレームクロック５１５との間のマッピングを導出し得る。
【０１０４】
[0116]  いくつかの態様では、同期情報を、送信ノード５０５−ａは送信し得、受信ノード５０５−ｂは受信し得る。例えば、１つ又は複数のメッセージは、送信ノード５０５−ａ及びアップストリームＧＭ機能に関連付けられた１つ又は複数の他のアップストリームノードがＰＴＰ（例えば、ＩＥＥＥ１５８８）、汎用ＰＴＰ（ｇＰＴＰ：generalized PTP）、タイミング及び同期プロトコル（例えば、ＩＥＥＥ８０２．１ＡＳ）、及び／又は同様のものを使用していることを示す情報などの、（例えば、送信ノード５０５−ａによって）使用される時間同期プロトコルのタイプを示す情報を含み得る。追加的に又は代替的に、１つ又は複数のメッセージは、アップストリームＧＭ機能のための基準タイムスタンプを識別するタイムスタンプ識別子、ＧＭタイムスタンプ＝１００、集約された遅延を識別する遅延識別子、集約遅延（Aggregate delay）＝３、及び／又は同様のものを含み得る。
【０１０５】
[0117]  いくつかの態様では、ワイヤレスネットワークのダウンリンク上で１つ又は複数のメッセージを送信ノード５０５−ａが送信し得、受信ノード５０５−ｂが受信し得る。例えば、送信ノード５０５−ａが基地局（例えば、基地局１０５）であり、受信ノード５０５−ｂがＵＥ（例えば、ＵＥ１１５）であるとき、送信ノード５０５−ａは、時間同期されたワイヤレスネットワークにおけるセルラリンクのダウンリンク上で送信し得る。代替的に、送信ノード５０５−ａがＵＥ（例えば、ＵＥ１１５）であり、受信ノード５０５−ｂが基地局（例えば、基地局１０５）であるとき、送信ノード５０５−ａは、セルラリンクのアップリンク上で送信し得る。いくつかの態様では、例えば、セルラインターフェースの制御プレーン、セルラインターフェースのユーザプレーン、及び／又は同様のものを使用して、制御チャネル上で１つ又は複数のメッセージを送信ノード５０５−ａが送信し得、受信ノード５０５−ｂが受信し得る。
【０１０６】
[0118]  いくつかの態様では、１つ又は複数のメッセージ中の識別情報を、送信ノード５０５−ａは送信し得、受信ノード５０５−ｂは受信し得る。例えば、送信ノード５０５−ａは、セルラリンク識別子、ノード識別子、セル識別子、無線ベアラ識別子、プロトコルデータユニット（ＰＤＵ：protocol data unit）セッション識別子、ＰＤＵ接続識別子、及び／又は同様のものを提供し得る。いくつかの態様では、送信ノード５０５−ａは、単一のメッセージを送信し得る。例えば、送信ノード５０５−ａは、単一のメッセージ中でマッピング情報、同期情報、識別情報、及び／又は同様のものを送信し得る。いくつかの態様では、送信ノード５０５−ａは、複数のメッセージを送信し得る。例えば、送信ノード５０５−ａは、第１のメッセージを使用してマッピング情報を送信し、第２のメッセージを使用して同期情報を送信し、第３のメッセージを使用して識別情報を送信し、及び／又は同様のことを行い得る。追加的に又は代替的に、送信ノード５０５−ａは、受信ノード５０５−ｂがスレーブクロック機能５１０−ｂを同期させることに失敗する可能性を低減するために、複数の冗長メッセージを送信し得る。
【０１０７】
[0119]  図５に参照番号５３５によって更に示されるように、受信ノード５０５−ｂは、送信ノード５０５−ａから１つ又は複数のメッセージを受信することに少なくとも部分的に基づいて、スレーブクロック機能５１０−ｂを調整し得る。例えば、受信ノード５０５−ｂは、マスタクロック機能５１０−ａの時間、アップストリームＧＭ機能の基準時間、及び／又は同様のものを導出し得、マスタクロック機能５１０−ａ、アップストリームＧＭ機能の基準時間、及び／又は同様のものにスレーブクロック機能５１０−ｂを同期させ得る。参照番号５４０によって更に示されるように、スレーブクロック機能５１０−ｂを同期させることに少なくとも部分的に基づいて、受信ノード５０５−ｂは、別のダウンストリームノードにＰＴＰメッセージを送信して、スレーブクロック機能５１０−ｂに別のダウンストリームノード（downstream node）の別のクロックを同期させ得る。例えば、スレーブクロック機能５１０−ｂは、ダウンストリームノードのスレーブクロックに対するマスタクロックであり得、受信ノード５０５−ｂは、ダウンストリームノードに情報（例えば、ダウンストリームノードへのワイヤライン接続のためのＰＴＰメッセージ、ダウンストリームノードへのワイヤレス接続のためのマッピング情報及び同期情報、及び／又は同様のもの）を提供し得る。
【０１０８】
[0120]  いくつかの態様では、送信ノード５０５−ａ及び受信ノード５０５−ｂは、冗長時間同期（redundant time synchronization）をサポートし得る。例えば、送信ノード５０５−ａ及び受信ノード５０５−ｂを含むネットワークは、ＰＴＰメッセージの複数のセットを提供する複数のＧＭ機能に関連付けられ得る。このケースでは、各ＰＴＰメッセージは、複数の時間同期インスタンスを有効にするために、対応するＧＭ機能を識別する識別情報を含み得、受信ノード５０５−ｂは、複数のマスタクロック機能５１０−ａのうちの対応する１つと複数のＧＭ機能のうちの対応する１つとに関連付けられた受信された同期情報に少なくとも部分的に基づいて、複数のスレーブクロック機能５１０−ｂのうちの１つを設定し得る。
【０１０９】
[0121]  本明細書で説明されるいくつかの態様は、基地局（例えば、基地局１０５）からＵＥ（例えば、ＵＥ１１５）へなど、時間同期のダウンストリーム伝搬に関して説明されるが、本明細書で説明されるいくつかの態様は、ＵＥから基地局へなど、時間情報のアップストリーム伝搬、（例えば、ワイヤレスサイドリンク（wireless sidelink）を使用して接続される）複数のＵＥ間、（例えば、ワイヤレスバックホール（wireless backhaul）を使用して接続される）複数の基地局間、及び／又は複数のＵＥと複数の基地局との組み合わせなど、時間情報の非階層伝搬、及び／又は同様のものを使用し得る。
【０１１０】
[0122]  図６Ａ〜６Ｄは、本開示の態様による、ワイヤレス通信のための時間同期をサポートするシステムのブロック図を示す。いくつかの例では、ブロック図６００は、ワイヤレス通信システム１００、２００、及び３００、並びにプロセス４００及び５００の態様をインプリメントし得る。いくつかのケースでは、ノード６０２は、図２を参照して説明されたスイッチ２２０の態様と、図５を参照して説明されたノード５０５の態様とを含み得る。いくつかのケースでは、基地局６０５は、図１〜５を参照して説明された基地局１０５、２２５、３０５、４０５、及び送信ノード５０５の態様を含み得る。ＵＥ６１０は、図１〜５を参照して説明されたＵＥ１１５、２３０、３１０、４１０、及び送信ノード５０５の態様を含み得る。ピアノード（peer node）６０３は、図５を参照して説明されたノード５０５の例であり得る。いくつかのケースでは、ＵＥ６１０は、ピアノード６０３とコロケートされ得る。
【０１１１】
[0123]  図６Ａのブロック図６００−ａに示されるように、ノード６０２は、アプリケーション機能６０４に内部インターフェースを介してＰＴＰ情報を伝搬し得る。アプリケーション機能６０４は、ＰＴＰ情報を処理し得、（例えば、マッピング情報、同期情報、及び／又は同様のものを含む）セルラシグナリングメッセージ（cellular signaling message）を生成し得る。アプリケーション機能６０４は、ポリシー制御機能（policy control function）６０６にセルラＮ５インターフェースを介してセルラシグナリングメッセージを提供し得る。ポリシー制御機能６０６は、アクセス及びモビリティ管理機能（access and mobility management function）６０８にセルラＮ１５インターフェースを介してセルラシグナリングメッセージを提供し得、アクセス及びモビリティ管理機能６０８は、基地局６０５にセルラＮ２インターフェースを介してセルラシグナリングメッセージを提供し得る。基地局６０５は、ＵＥ６１０にＲＲＣ接続を介してセルラシグナリングメッセージを提供し得、ＵＥ６１０は、マッピング情報、同期情報、及び／又は同様のものを決定するために、セルラシグナリングメッセージを処理し得る。ＵＥ６１０は、ピアノード６０３にマッピング情報、同期情報、及び／又は同様のものを提供し得る。ピアノード６０３は、マッピング情報、同期情報、及び／又は同様のものを使用して、ノード６０２のクロックにピアノード６０３のクロックを同期させ得る。このように、基地局６０５及びＵＥ６１０は、ワイヤレス接続を介してノードのセットの同期を可能にする。
【０１１２】
[0124]  図６Ｂのブロック図６００−ｂに示されるように、対照的に、アクセス及びモビリティ管理機能６０８は、ＵＥ６１０に非アクセス層（ＮＡＳ：non-access-stratum）メッセージを介してセルラシグナリングメッセージ（例えば、マッピング情報、同期情報、及び／又は同様のものを含む）を提供する。例えば、ポリシー制御機能６０６がアクセス及びモビリティ管理機能６０８にセルラシグナリングメッセージを提供し、アクセス及びモビリティ管理機能６０８が基地局６０５にセルラシグナリングメッセージを提供してＵＥ６１０に送信するのではなく、ＮＡＳメッセージは、アクセス及びモビリティ管理機能６０８からＵＥ６１０にＮ１インターフェースを介して直接提供される。このように、アクセス及びモビリティ管理機能６０８は、時間同期されたワイヤレスネットワークのノードのための時間同期を可能にする。
【０１１３】
[0125]  いくつかの態様では、ノード６０２は、セルラシグナリングメッセージを提供すべき複数の利用可能なＵＥのうちのＵＥ６１０を決定し得る。例えば、ノード６０２は、セルラシグナリングメッセージと共に識別情報としてＵＥ識別子（例えば、国際モバイル加入者アイデンティティ（ＩＭＳＩ：international mobile subscriber identity）、ネットワークアドレス、及び／又は同様のもの）を含み得る。このケースでは、ポリシー制御機能６０６、アクセス及びモビリティ管理機能６０８、基地局６０５、及び／又は同様のものは、１つ又は複数のＵＥ（例えば、ＵＥ６１０）にセルラシグナリングメッセージを向けるために、一時的モバイル加入者アイデンティティ（ＴＭＳＩ：temporary mobile subscriber identity）、セル無線ネットワーク一時的識別子（Ｃ−ＲＮＴＩ：cell radio network temporary identifier）、及び／又は同様のものにＵＥ識別子を分解し得る。いくつかの態様では、セルラシグナリングメッセージは、セルラ制御プレーンのトランスペアレントコンテナ（transparent container）を使用して、アクセス及びモビリティ管理機能６０８とＵＥ６１０との間で伝達され得る。
【０１１４】
[0126]  図６Ｃのブロック図６００−ｃに示されるように、対照的に、ノード６０２及びアプリケーション機能６０４がコロケートされないとき、ノード６０２は、バックホールリンクを使用してアプリケーション機能６０４と時間同期し得、ノード６０２は、内部インターフェースを介して基地局６０５と時間同期し得、基地局６０５は、ＲＲＣを使用してＵＥ６１０と同期し得る。
【０１１５】
[0127]  いくつかのケースでは、基地局６０５は、ユーザプレーンを使用して、専用データ無線ベアラ（ＤＲＢ：data radio bearer）を介してセルラシグナリングメッセージを提供し得る。いくつかの態様では、セルラシグナリングメッセージは、別のネットワークトポロジー、別の接続、別のインターフェース、及び／又は同様のものを介してなど、別のトランスポート技法を介して提供され得る。
【０１１６】
[0128]  図６Ｄのブロック図６００−ｄに示されるように、対照的に、セルラシグナリングメッセージは、セルラインターフェースのユーザプレーンを使用して提供され得る。例えば、基地局６０５及びユーザプレーン機能（user-plane function）６１６がコロケートされるとき、ユーザプレーン機能６１６がＵＥ６１０にセルラシグナリングメッセージを提供するために、ノード６０２がユーザプレーン機能６１６にセルラシグナリングメッセージを提供することを可能にするために、ＰＤＵセッション又はフロー識別子が提供され得る。いくつかの態様では、セルラシグナリングメッセージは、イーサネット接続、インターネットプロトコルバージョン４（ＩＰｖ４）接続、インターネットプロトコルバージョン６（ＩＰｖ６）接続、非構造化接続、及び／又は同様のものを使用するなど、特定のタイプのＰＤＵセッションを使用して提供され得る。
【０１１７】
[0129]  図７は、本開示の態様による、ワイヤレス通信のための時間同期をサポートするシステム７００のブロック図を示す。基地局７０５は、図１〜６を参照して説明された基地局１０５、２２５、３０５、４０５、及び６０５並びに送信ノード５０５の態様を含み得る。ＵＥ７１０は、図１〜６を参照して説明されたＵＥ１１５、２３０、３１０、４１０、及び６１０並びに送信ノード５０５の態様を含み得る。ユーザプレーン機能７０４は、図６を参照して説明されたユーザプレーン機能６１６の一例であり得る。
【０１１８】
[0130]  図７に示されるように、システム７００は、データネットワーク７０２、ユーザプレーン機能７０４、ＵＥ７１０、及びローカルネットワーク７０８を含むネットワークＡと、基地局７０５及びバックホールネットワーク７１２を含むネットワークＢとを含み得る。このケースでは、ＧＭ機能は、バックホールネットワーク７１２においてコロケートされ得、バックホールネットワーク７１２のノードは、基地局７０５にＰＴＰメッセージを提供し得る。基地局７０５は、同期情報、マッピング情報、識別情報、及び／又は同様のものを伝達するために、ＵＥ７１０にセルラシグナリングメッセージを提供し得る。ＵＥ７１０は、セルラシグナリング情報に少なくとも部分的に基づいて、ＵＥ７１０のクロックをＧＭ機能のクロック及び／又は基地局７０５のクロックと同期させ得る。ＵＥ７１０は、ユーザプレーン機能７０４にＰＴＰメッセージを提供し得、ユーザプレーン機能７０４は、データネットワーク７０２及びローカルネットワーク７０８にＰＴＰメッセージを伝搬し得る。このように、ＵＥ７１０及び基地局７０５は、（例えば、ＵＥ７１０と基地局７０５との間の）ワイヤレス接続を使用して、ネットワーク間時間同期を可能にする。いくつかの態様では、ネットワークＡ及びネットワークＢは、同じプロトコルタイプ（例えば、イーサネットを使用するネットワークＡとネットワークＢとの両方）、異なるプロトコルタイプ（例えば、イーサネットを使用するネットワークＡ及びＩＰｖ４を使用するネットワークＢ）、及び／又は同様のものに関連付けられ得る。
【０１１９】
[0131]  図８は、本開示の態様による、ワイヤレス通信のための時間同期をサポートするシステム８００のブロック図を示す。基地局８０５は、図１〜７を参照して説明された基地局１０５、２２５、３０５、４０５、６０５、及び７０５並びに送信ノード５０５の態様を含み得る。ＵＥ８１０は、図１〜７を参照して説明されたＵＥ１１５、２３０、３１０、４１０、６１０、及び７１０並びに送信ノード５０５の態様を含み得る。ユーザプレーン機能８０４は、図６及び７を参照して説明されたユーザプレーン機能６１６及び７０４の一例であり得る。
【０１２０】
[0132]  図８に示されるように、システム８００は、ＵＥ８１０−ａに関連付けられたローカルネットワーク８２０−ａ、ＵＥ８１０−ｂに関連付けられたローカルネットワーク８２０−ｂ、ユーザプレーン機能及びアプリケーション機能を含み得る基地局８０５、ＧＭ機能８２８−ａに関連付けられ得るデータネットワーク８２６−ａ、及びＧＭ機能８２８−ｂに関連付けられ得るデータネットワーク８２６−ｂを含み得る。このケースでは、ローカルネットワーク８２０−ａ、ＵＥ８１０−ａ、データネットワーク８２６−ａ、及びＧＭ機能８２８−ａは、第１の時間同期インスタンスであるＰＴＰインスタンス８３０−ａに関連付けられ、ローカルネットワーク８２０−ｂ、ＵＥ８１０−ｂ、データネットワーク８２６−ｂ、及びＧＭ機能８２８−ｂは、第２の時間同期インスタンスであるＰＴＰインスタンス８３０−ｂに関連付けられる。基地局８０５は、ＰＴＰインスタンス８３０−ａ及びＰＴＰインスタンス８３０−ｂに共通であり得る。このケースでは、基地局８０５は、ＰＴＰインスタンス８３０−ａ及びＧＭ機能８２８−ａに関するマッピング情報及び同期情報を提供するために、ＵＥ８１０−ａに第１のセルラシグナリングメッセージ８３２−ａを送信し得る。第１のセルラシグナリングメッセージ８３２−ａを受信することに基づいて、ＵＥ８１０は、ＧＭ８２８−ａにエンドデバイスのクロックを同期させるために、ローカルネットワーク８２０−ａのエンドデバイスにＰＴＰメッセージを提供し得る。
【０１２１】
[0133]  同様に、基地局８０５は、ＰＴＰインスタンス８３０−ｂ及びＧＭ機能８２８−ｂに関するマッピング情報及び同期情報を提供するために、ＵＥ８１０−ｂに第２のセルラシグナリングメッセージ８３２−ｂを送信し得る。このケースでは、第２のセルラシグナリングメッセージ８３２−ｂを受信することに少なくとも部分的に基づいて、ＵＥ８１０−ｂは、ＧＭ８２８−ｂにエンドデバイスのクロックを同期させるために、ローカルネットワーク８２０−ｂのエンドデバイスにＰＴＰメッセージを提供し得る。
【０１２２】
[0134]  いくつかの態様では、セルラシグナリングメッセージ８３２は、対応するＰＴＰインスタンス８３０を識別する情報、セルラシグナリングメッセージ８３２が向けられるべき対応するＵＥ８１０を示すためのセルラリンク識別子、及び／又は同様のものを含み得る。いくつかの態様では、セルラシグナリングメッセージ８３２は、セルラシグナリングメッセージ８３２が向けられるべき対応するＵＥ８１０を示すための、ＰＤＵセッション識別子、ＤＲＢ識別子、及び／又は同様のものを含み得る。いくつかの態様では、基地局８０５は、ユーザプレーン機能、アプリケーション機能、及び／又は同様のものに関連付けられないことがある。いくつかの態様では、基地局８０５は、複数のバックホールインターフェース（backhaul interface）に関連付けられ得る。例えば、基地局８０５は、データネットワーク８２６−ａのための第１のバックホールインターフェースと、データネットワーク８２６−ｂのための第２のバックホールインターフェースとに関連付けられ得る。いくつかの態様では、基地局８０５は、ＵＥ８１０に同期情報をフォワーディングすることを可能にするために、ＰＴＰメッセージから識別情報を抽出し得る。例えば、基地局８０５は、ＰＴＰメッセージが、パケットヘッダ中に含まれるインターネットプロトコルプレフィックス、仮想ローカルエリアネットワーク識別子、イーサネットタイプ識別子、及び／又は同様のものを含むと決定し得、例えば、ＰＴＰメッセージのための宛先ノードとしてＵＥ８１０−ａを識別し得る。
【０１２３】
[0135]  図９は、本開示の態様による、ワイヤレス通信のための時間同期をサポートするワイヤレスデバイス９０５のブロック図９００を示す。ワイヤレスデバイス９０５は、本明細書で説明されたＵＥ１１５の態様の一例であり得る。ワイヤレスデバイス９０５は、受信機９１０と、通信マネージャ（communications manager）９１５と、送信機９２０とを含み得る。ワイヤレスデバイス９０５はまた、プロセッサを含み得る。これらのコンポーネントの各々は、（例えば、１つ又は複数のバスを介して）互いと通信状態にあり得る。
【０１２４】
[0136]  受信機９１０は、パケット、ユーザデータ、又は様々な情報チャネル（例えば、制御チャネル、データチャネル、及び第１のインターフェース通して受信された情報に基づく第２のインターフェースの時間同期に関連する情報、等）に関連付けられた制御情報などの情報を受信し得る。情報は、デバイスの他のコンポーネントに渡され得る。受信機９１０は、図１２を参照して説明されるトランシーバ１２３５の態様の一例であり得る。受信機９１０は、単一のアンテナ又はアンテナのセットを利用し得る。
【０１２５】
[0137]  通信マネージャ９１５は、図１２を参照して説明される通信マネージャ１２１５の態様の一例であり得る。
【０１２６】
[0138]  通信マネージャ９１５及び／又はその様々なサブコンポーネントのうちの少なくともいくつかは、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、通信マネージャ９１５及び／又はその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェアコンポーネント、又は本開示で説明される機能を実行するように設計されたそれらの任意の組み合わせによって実行され得る。通信マネージャ９１５及び／又はその様々なサブコンポーネントのうちの少なくともいくつかは、機能の一部分が１つ又は複数の物理デバイスによって異なる物理ロケーションにおいてインプリメントされるように分散されることを含めて、様々な位置に物理的にロケートされ得る。いくつかの例では、通信マネージャ９１５及び／又はその様々なサブコンポーネントのうちの少なくともいくつかは、本開示の様々な態様による別個の異なるコンポーネントであり得る。他の例では、通信マネージャ９１５及び／又はその様々なサブコンポーネントのうちの少なくともいくつかは、本開示の様々な態様による、Ｉ／Ｏコンポーネント、トランシーバ、ネットワークサーバ、別のコンピューティングデバイス、本開示で説明される１つ又は複数の他のコンポーネント、又はそれらの組み合わせを含むがそれらに限定されない、１つ又は複数の他のハードウェアコンポーネントと組み合わされ得る。
【０１２７】
[0139]  通信マネージャ９１５は、ＵＥによって、セルラワイヤレス通信リンクを通して基地局からタイミング同期信号を受信し、タイミング同期信号に基づいてＵＥのローカルワイヤードインターフェースのタイマ機能を構成し、ローカルワイヤードインターフェースを介してＵＥに接続されたデバイスにタイミング制御信号を送信し得、ここで、タイミング制御信号は、タイマ機能に基づく。
【０１２８】
[0140]  送信機９２０は、デバイスの他のコンポーネントによって生成される信号を送信し得る。いくつかの例では、送信機９２０は、トランシーバモジュール中で受信機９１０とコロケートされ得る。例えば、送信機９２０は、図１２を参照して説明されるトランシーバ１２３５の態様の一例であり得る。送信機９２０は、単一のアンテナ又はアンテナのセットを利用し得る。
【０１２９】
[0141]  図１０は、本開示の態様による、ワイヤレス通信のための時間同期をサポートするワイヤレスデバイス１００５のブロック図１０００を示す。ワイヤレスデバイス１００５は、図９を参照して説明されたワイヤレスデバイス９０５又はＵＥ１１５の態様の一例であり得る。ワイヤレスデバイス１００５は、受信機１０１０と、通信マネージャ１０１５と、送信機１０２０とを含み得る。ワイヤレスデバイス１００５はまた、プロセッサを含み得る。これらのコンポーネントの各々は、（例えば、１つ又は複数のバスを介して）互いと通信状態にあり得る。
【０１３０】
[0142]  受信機１０１０は、パケット、ユーザデータ、又は様々な情報チャネル（例えば、制御チャネル、データチャネル、及び第１のインターフェースを通して受信された情報に基づく第２のインターフェースの時間同期に関連する情報、等）に関連付けられた制御情報などの情報を受信し得る。情報は、デバイスの他のコンポーネントに渡され得る。受信機１０１０は、図１２を参照して説明されるトランシーバ１２３５の態様の一例であり得る。受信機１０１０は、単一のアンテナ又はアンテナのセットを利用し得る。
【０１３１】
[0143]  通信マネージャ１０１５は、図１２を参照して説明される通信マネージャ１２１５の態様の一例であり得る。
【０１３２】
[0144]  通信マネージャ１０１５はまた、タイミング同期信号マネージャ１０２５と、タイマ機能マネージャ１０３０と、タイミング制御信号マネージャ１０３５とを含み得る。
【０１３３】
[0145]  タイミング同期信号マネージャ１０２５は、ＵＥによって、セルラワイヤレス通信リンクを通して基地局からタイミング同期信号を受信し得る。
【０１３４】
[0146]  タイマ機能マネージャ１０３０は、タイミング同期信号に基づいて、ＵＥのローカルワイヤードインターフェースのタイマ機能を構成し得る。
【０１３５】
[0147]  タイミング制御信号マネージャ１０３５は、ローカルワイヤードインターフェースを介してＵＥに接続されたデバイスにタイミング制御信号を送信し得、ここで、タイミング制御信号は、タイマ機能に基づく。いくつかのケースでは、デバイスは、ローカルワイヤードインターフェースに接続され、ＵＥによって制御されるエンドデバイスである。
【０１３６】
[0148]  送信機１０２０は、デバイスの他のコンポーネントによって生成される信号を送信し得る。いくつかの例では、送信機１０２０は、トランシーバモジュール中で受信機１０１０とコロケートされ得る。例えば、送信機１０２０は、図１２を参照して説明されるトランシーバ１２３５の態様の一例であり得る。送信機１０２０は、単一のアンテナ又はアンテナのセットを利用し得る。
【０１３７】
[0149]  図１１は、本開示の態様による、ワイヤレス通信のための時間同期をサポートする通信マネージャ１１１５のブロック図１１００を示す。通信マネージャ１１１５は、図９、１０、及び１２を参照して説明される通信マネージャ９１５、通信マネージャ１０１５、又は通信マネージャ１２１５の態様の一例であり得る。通信マネージャ１１１５は、タイミング同期信号マネージャ１１２０、タイマ機能マネージャ１１２５、タイミング制御信号マネージャ１１３０、セルラメトリックマネージャ（cellular metric manager）１１３５、同期信号マネージャ１１４０、及びＰＴＰマネージャ１１４５を含み得る。これらのモジュールの各々は、（例えば、１つ又は複数のバスを介して）互いと直接又は間接的に通信し得る。
【０１３８】
[0150]  タイミング同期信号マネージャ１１２０は、ＵＥによって、セルラワイヤレス通信リンクを通して基地局からタイミング同期信号を受信し得る。
【０１３９】
[0151]  タイマ機能マネージャ１１２５は、タイミング同期信号に基づいて、ＵＥのローカルワイヤードインターフェースのタイマ機能を構成し得る。
【０１４０】
[0152]  タイミング制御信号マネージャ１１３０は、ローカルワイヤードインターフェースを介してＵＥに接続されたデバイスにタイミング制御信号を送信し得、ここで、タイミング制御信号は、タイマ機能に基づく。いくつかのケースでは、デバイスは、ローカルワイヤードインターフェースに接続され、ＵＥによって制御されるエンドデバイスである。
【０１４１】
[0153]  セルラメトリックマネージャ１１３５は、セルラワイヤレス通信リンクの少なくとも１つのメトリックが閾値を満たすと決定し、決定に基づいて、デバイスを制御するために、タイミング制御信号を送信し、セルラワイヤレス通信リンクの少なくとも１つのメトリックが閾値を満たさないと決定し、決定に基づいてデバイスからのタイミング制御信号を保留し得る。いくつかのケースでは、セルラワイヤレス通信リンクの少なくとも１つのメトリックは、ＲＳＲＰ、ＳＮＲ、ＳＩＮＲ、ＲＳＲＱ、帯域幅パラメータ、スループットパラメータ、又はそれらの組み合わせのうちの少なくとも１つを含む。
【０１４２】
[0154]  同期信号マネージャ１１４０は、プライマリ同期信号、セカンダリ同期信号、システム情報ブロック、測位基準信号、又はそれらの任意の組み合わせのうちの少なくとも１つを使用して、基地局からタイミング同期信号を受信し得る。
【０１４３】
[0155]  ＰＴＰマネージャ１１４５は、ＰＴＰ機能、汎用ＰＴＰ機能、又はタイミング及び同期プロトコル機能としてタイマ機能を構成し得る。
【０１４４】
[0156]  図１２は、本開示の態様による、ワイヤレス通信のための時間同期をサポートするデバイス１２０５を含むシステム１２００の図を示す。デバイス１２０５は、例えば、図９及び１０を参照して本明細書で説明されたワイヤレスデバイス９０５、ワイヤレスデバイス１００５、又はＵＥ１１５のコンポーネントの一例であり得るか、又はそれらを含み得る。デバイス１２０５は、通信マネージャ１２１５、プロセッサ１２２０、メモリ１２２５、ソフトウェア１２３０、トランシーバ１２３５、アンテナ１２４０、及びＩ／Ｏコントローラ１２４５を含む、通信を送信及び受信するためのコンポーネントを含む、双方向音声及びデータ通信のためのコンポーネントを含み得る。これらのコンポーネントは、１つ又は複数のバス（例えば、バス１２１０）を介して電子通信状態にあり得る。デバイス１２０５は、１つ又は複数の基地局１０５とワイヤレスに通信し得る。
【０１４５】
[0157]  プロセッサ１２２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲート若しくはトランジスタロジックコンポーネント、ディスクリートハードウェアコンポーネント、又はそれらの任意の組み合わせ）を含み得る。いくつかのケースでは、プロセッサ１２２０は、メモリコントローラを使用してメモリアレイを動作させるように構成され得る。他のケースでは、メモリコントローラは、プロセッサ１２２０に統合され得る。プロセッサ１２２０は、様々な機能（例えば、第１のインターフェースを通して受信された情報に基づいて第２のインターフェースの時間同期をサポートする機能又はタスク）を実行するために、メモリ中に記憶されたコンピュータ可読命令を実行するように構成され得る。
【０１４６】
[0158]  メモリ１２２５は、ランダムアクセスメモリ（ＲＡＭ）及び読取専用メモリ（ＲＯＭ）を含み得る。メモリ１２２５は、実行されると、プロセッサに、本明細書で説明された様々な機能を実行させる命令を含むコンピュータ可読、コンピュータ実行可能ソフトウェア１２３０を記憶し得る。いくつかのケースでは、メモリ１２２５は、中でもとりわけ、周辺コンポーネント又はデバイスとの対話などの基本ハードウェア又はソフトウェア動作を制御し得る基本入力／出力システム（ＢＩＯＳ：a basic input/output system）を包含し得る。
【０１４７】
[0159]  ソフトウェア１２３０は、第１のインターフェースを通して受信された情報に基づいて第２のインターフェースの時間同期をサポートするためのコードを含む、本開示の態様をインプリメントするためのコードを含み得る。ソフトウェア１２３０は、システムメモリ又は他のメモリなどの非一時的コンピュータ可読媒体中に記憶され得る。いくつかのケースでは、ソフトウェア１２３０は、プロセッサによって直接実行可能でないことがあるが、（例えば、コンパイル及び実行されると）コンピュータに、本明細書で説明された機能を実行させ得る。
【０１４８】
[0160]  トランシーバ１２３５は、本明細書で説明された１つ又は複数のアンテナ、ワイヤード、又はワイヤレスリンクを介して、双方向に通信し得る。例えば、トランシーバ１２３５は、ワイヤレストランシーバを表し得、別のワイヤレストランシーバと双方向に通信し得る。トランシーバ１２３５はまた、パケットを変調し、送信のためにアンテナに変調されたパケットを提供し、アンテナから受信されたパケットを復調するためのモデムを含み得る。
【０１４９】
[0161]  いくつかのケースでは、ワイヤレスデバイスは、単一のアンテナ１２４０を含み得る。しかしながら、いくつかのケースでは、デバイスは、１つより多くのアンテナ１２４０を有し得、それらは、複数のワイヤレス送信を同時に送信又は受信することが可能であり得る。
【０１５０】
[0162]  Ｉ／Ｏコントローラ１２４５は、デバイス１２０５のための入力及び出力信号を管理し得る。Ｉ／Ｏコントローラ１２４５はまた、デバイス１２０５に統合されていない周辺機器を管理し得る。いくつかのケースでは、Ｉ／Ｏコントローラ１２４５は、外部周辺機器への物理接続又はポートを表し得る。いくつかのケースでは、Ｉ／Ｏコントローラ１２４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、又は別の知られているオペレーティングシステムなどのオペレーティングシステムを利用し得る。他のケースでは、Ｉ／Ｏコントローラ１２４５は、モデム、キーボード、マウス、タッチスクリーン、又は同様のデバイスを表し得るか、又はそれらと対話し得る。いくつかのケースでは、Ｉ／Ｏコントローラ１２４５は、プロセッサの一部としてインプリメントされ得る。いくつかのケースでは、ユーザは、Ｉ／Ｏコントローラ１２４５を介して、又はＩ／Ｏコントローラ１２４５によって制御されるハードウェアコンポーネントを介して、デバイス１２０５と対話し得る。
【０１５１】
[0163]  図１３は、本開示の態様による、ワイヤレス通信のための時間同期をサポートするフレーム構造１３００の一例を例示する。
【０１５２】
[0164]  図１３は、電気通信システム（例えば、ＮＲ）におけるＦＤＤのための実例的なフレーム構造１３００を示す。ダウンリンク及びアップリンクの各々のための送信タイムラインは、無線フレームの単位に区分され得る。各無線フレームは、所定の持続時間を有し得、（例えば、０〜Ｚ−１のインデックスを有する）Ｚ（Ｚ≧１）個のサブフレームのセットへの区分であり得る。各サブフレームは、スロットのセットを含み得る（例えば、サブフレームあたり２つのスロットが図１３に示されている）。各スロットは、Ｌ個のシンボル期間のセットを含み得る。例えば、各スロットは、（例えば、図１３に示されるように）７つのシンボル期間、１５個のシンボル期間、及び／又は同様のものを含み得る。サブフレームが２つのスロットを含むケースでは、サブフレームは、２Ｌ個のシンボル期間を含み得、ここで、各サブフレーム中の２Ｌ個のシンボル期間は、０〜２Ｌ−１のインデックスを割り当てられ得る。いくつかの態様では、ＦＤＤのためのスケジューリング単位は、フレームベース、サブフレームベース、スロットベース、シンボルベース、及び／又は同様のものであり得る。
【０１５３】
[0165]  いくつかの技法が、フレーム、サブフレーム、スロット、及び／又は同様のものに関して本明細書で説明されるが、これらの技法は、５Ｇ ＮＲにおける「フレーム」、「サブフレーム」、「スロット」、及び／又は同様のもの以外の用語を使用して呼ばれ得る、他のタイプのワイヤレス通信構造に等しく適用され得る。いくつかの態様では、ワイヤレス通信構造は、ワイヤレス通信規格及び／又はプロトコルによって定義された周期的時間有界通信単位（a periodic time-bounded communication unit）を指し得る。追加的に又は代替的に、図３Ａに示されるものとは異なる構成のワイヤレス通信構造が使用され得る。
【０１５４】
[0166]  ある特定の電気通信（例えば、ＮＲ）では、基地局は、同期信号を送信し得る。例えば、基地局は、基地局によってサポートされるセルごとにダウンリンク上でプライマリ同期信号、セカンダリ同期信号、及び／又は同様のものを送信し得る。プライマリ同期信号及びセカンダリ同期信号は、セル探索及び獲得のためにＵＥによって使用され得る。例えば、プライマリ同期信号は、シンボルタイミングを決定するためにＵＥによって使用され得、セカンダリ同期信号は、基地局に関連付けられた物理セル識別子と、フレームタイミングとを決定するためにＵＥによって使用され得る。基地局はまた、物理ブロードキャストチャネル（ＰＢＣＨ：physical broadcast channel）を送信し得る。ＰＢＣＨは、ＵＥによる初期アクセスをサポートするシステム情報など、何らかのシステム情報を搬送し得る。
【０１５５】
[0167]  いくつかの態様では、基地局は、図１４に関して本明細書で説明されるように、複数の同期通信（例えば、同期信号ブロック）を含む同期通信階層（例えば、同期信号階層）に従って、プライマリ同期信号、セカンダリ同期信号、及び／又はＰＢＣＨを送信し得る。
【０１５６】
[0168]  上述されたように、図１３は、一例として提供される。他の例も可能であり、図１３に関して説明されたものとは異なり得る。
【０１５７】
[0169]  図１４は、本開示の態様による、ワイヤレス通信のための時間同期をサポートする同期通信階層（synchronization communication hierarchy）１４００の一例を例示する。
【０１５８】
[0170]  図１４は、同期通信階層の一例である、実例的な同期信号階層（synchronization signal hierarchy）を概念的に例示するブロック図である。図１４に示されるように、同期信号階層は、同期信号バーストセット（synchronization signal burst set）を含み得、それは、複数の同期信号バースト（同期信号バースト０から同期信号バーストＢ−１として識別され、ここで、Ｂは、基地局によって送信され得る同期信号バーストの最大反復数である）を含み得る。更に示されるように、各同期信号バーストは、１つ又は複数の同期信号ブロック（同期信号ブロック０から同期信号ブロック（ｂｍａｘ＿ＳＳ−１）として識別され、ここで、ｂｍａｘ＿ＳＳ−１は、同期信号バーストによって搬送されることができる同期信号ブロックの最大数である）を含み得る。いくつかの態様では、異なる同期信号ブロックは、異なるようにビーム形成され得る。同期信号バーストセットは、図３Ｂに示されるように、Ｘミリ秒ごとなど、ワイヤレスノードによって周期的に送信され得る。いくつかの態様では、同期信号バーストセットは、図１４においてＹミリ秒として示される固定又は動的な長さを有し得る。
【０１５９】
[0171]  図１４に示される同期信号バーストセットは、同期通信セットの一例であり、本明細書で説明される技法に関して他の同期通信セットが使用され得る。更に、図１４に示される同期信号ブロックは、同期通信の一例であり、本明細書で説明される技法に関して他の同期通信が使用され得る。
【０１６０】
[0172]  いくつかの態様では、同期信号ブロックは、プライマリ同期信号、セカンダリ同期信号、ＰＢＣＨ、及び／又は他の同期信号（例えば、３次同期信号（ＴＳＳ：tertiary synchronization signal））及び／又は同期チャネルを搬送するリソースを含む。いくつかの態様では、複数の同期信号ブロックが、同期信号バースト中に含まれ、プライマリ同期信号、セカンダリ同期信号、及び／又はＰＢＣＨは、同期信号バーストの各同期信号ブロックにわたって同じであり得る。いくつかの態様では、単一の同期信号ブロックが、同期信号バースト中に含まれ得る。いくつかの態様では、同期信号ブロックは、長さが少なくとも４つのシンボル期間であり得、ここで、各シンボルは、プライマリ同期信号（例えば、１つのシンボルを占有する）、セカンダリ同期信号（例えば、１つのシンボルを占有する）、及び／又はＰＢＣＨ（例えば、２つのシンボルを占有する）のうちの１つ又は複数を搬送する。
【０１６１】
[0173]  いくつかの態様では、図１４に示されるように、同期信号ブロックのシンボルは連続している。いくつかの態様では、同期信号ブロックのシンボルは非連続である。同様に、いくつかの態様では、同期信号バーストの１つ又は複数の同期信号ブロックは、１つ又は複数のサブフレーム中に連続する無線リソース（例えば、連続するシンボル期間）中で送信され得る。追加的に又は代替的に、同期信号バーストの１つ又は複数の同期信号ブロックは、非連続無線リソース中で送信され得る。
【０１６２】
[0174]  いくつかの態様では、同期信号バーストは、バースト期間を有し得、それによって、同期信号バーストの同期信号ブロックは、バースト期間に従って基地局によって送信される。言い換えれば、同期信号ブロックは、各同期信号バースト中に繰り返され得る。いくつかの態様では、同期信号バーストセットは、バーストセット周期性を有し得、それによって、同期信号バーストセットの同期信号バーストは、固定バーストセット周期性に従って基地局によって送信される。言い換えれば、同期信号バーストは、各同期信号バーストセット中に繰り返され得る。
【０１６３】
[0175]  基地局は、ある特定のサブフレーム中で物理ダウンリンク共有チャネル（ＰＤＳＣＨ：physical downlink shared channel）上でＳＩＢなどのシステム情報を送信し得る。基地局は、サブフレームのＣ個のシンボル期間中で物理ダウンリンク制御チャネル（ＰＤＣＣＨ：physical downlink control channel）上で制御情報／データを送信し得、ここで、Ｂは、サブフレームごとに構成可能であり得る。基地局は、各サブフレームの残りのシンボル期間中でＰＤＳＣＨ上でトラフィックデータ及び／又は他のデータを送信し得る。
【０１６４】
[0176]  上述されたように、図１４は、一例として提供される。他の例も可能であり、図１４に関して説明されたものとは異なり得る。
【０１６５】
[0177]  図１５は、本開示の態様による、ワイヤレス通信のための時間同期をサポートするサブフレームフォーマット１５００の一例を例示する。
【０１６６】
[0178]  図１５は、ノーマルサイクリックプレフィックス（normal cyclic prefix）を有する実例的なサブフレームフォーマット１５１０を示す。利用可能な時間周波数リソースは、リソースブロックに区分化され得る。各リソースブロックは、１つのスロット中のサブキャリアのセット（例えば、１２個のサブキャリア）をカバーし得、いくつかのリソース要素を含み得る。各リソース要素は、（例えば、時間的に）１つのシンボル期間中に１つのサブキャリアをカバーし得、実数値又は複素数値であり得る１つの変調シンボルを送るために使用され得る。いくつかの態様では、サブフレームフォーマット１５１０は、本明細書で説明されるように、プライマリ同期信号、セカンダリ同期信号、ＰＢＣＨ、及び／又は同様のものを搬送する同期信号ブロックの送信のために使用され得る。
【０１６７】
[0179]  インターレース構造は、ある特定の電気通信システム（例えば、ＮＲ）におけるＦＤＤのためのダウンリンク及びアップリンクの各々のために使用され得る。例えば、０〜Ｑ−１のインデックスを有するＱ個のインターレースが定義され得、ここで、Ｑは、４、６、８、１０、又は何らかの他の値に等しくなり得る。各インターレースは、Ｑ個のフレームによって離間されたサブフレームを含み得る。特に、インターレースｑは、サブフレームｑ、ｑ＋Ｑ、ｑ＋２Ｑ、等を含み得、ここで、ｑ∈｛０，．．．，Ｑ−１｝である。
【０１６８】
[0180]  ＵＥは、複数の基地局のカバレッジ内にロケートされ得る。これらの基地局のうちの１つは、ＵＥにサービングするために選択され得る。サービング基地局は、受信信号強度、受信信号品質、経路損失、及び／又は同様のものなどの様々な基準に少なくとも部分的に基づいて選択され得る。受信信号品質は、ＳＩＮＲ、又はＲＳＲＱ、又は何らかの他のメトリックによって定量化され得る。ＵＥは、ＵＥが１つ又は複数の干渉基地局からの高い干渉を観測し得る支配的干渉シナリオにおいて動作し得る。
【０１６９】
[0181]  本明細書で説明される例の態様は、ＮＲ又は５Ｇ技術に関連付けられ得るが、本開示の態様は、他のワイヤレス通信システムに適用可能であり得る。ＮＲは、新しいエアインターフェース（例えば、直交周波数分割多元接続（ＯＦＤＭＡ）ベースのエアインターフェース以外）又は固定トランスポートレイヤ（例えば、インターネットプロトコル（ＩＰ）以外）に従って動作するように構成された無線機を指し得る。態様では、ＮＲは、アップリンク上でＣＰを有するＯＦＤＭ（本明細書ではサイクリックプレフィックスＯＦＤＭ又はＣＰ−ＯＦＤＭと呼ばれる）及び／又はＳＣ−ＦＤＭを利用し得、ダウンリンク上でＣＰ−ＯＦＤＭを利用し得、ＴＤＤを使用する半複信動作（half-duplex operation）のためのサポートを含み得る。態様では、ＮＲは、例えば、アップリンク上でＣＰを有するＯＦＤＭ（本明細書ではＣＰ−ＯＦＤＭと呼ばれる）及び／又は離散フーリエ変換拡散直交周波数分割多重化（ＤＦＴ−Ｓ−ＯＦＤＭ：discrete Fourier transform spread orthogonal frequency-division multiplexing）を利用し得、ダウンリンク上でＣＰ−ＯＦＤＭを利用し得、ＴＤＤを使用する半複信動作のためのサポートを含み得る。ＮＲは、広帯域幅（例えば、８０メガヘルツ（ＭＨｚ）及びそれを超える）をターゲットとする拡張モバイルブロードバンド（ｅＭＢＢ：Enhanced Mobile Broadband）サービス、高キャリア周波数（例えば、６０ギガヘルツ（ＧＨｚ））をターゲットとするミリメートル波（ｍｍＷ）、非後方互換ＭＴＣ技法をターゲットとする大規模ＭＴＣ（ｍＭＴＣ：massive MTC）、及び／又は超高信頼低レイテンシ通信（ＵＲＬＬＣ：ultra-reliable low latency communication）サービスをターゲットとするミッションクリティカルを含み得る。
【０１７０】
[0182]  いくつかの態様では、１００ＭＨｚの単一のコンポーネントキャリア帯域幅がサポートされ得る。ＮＲのリソースブロックは、０．１ミリ秒（ｍｓ）の持続時間にわたって６０又は１２０キロヘルツ（ｋＨｚ）のサブキャリア帯域幅を有する１２個のサブキャリアにまたがり得る。各無線フレームは、１０ｍｓの長さを有する４０個のサブフレームを含み得る。その結果として、各サブフレームは、０．２５ｍｓの長さを有し得る。各サブフレームは、データ送信のためのリンク方向（例えば、ＤＬ又はＵＬ）を示し得、及び各サブフレームのためのリンク方向は、動的に切り替えられ得る。各サブフレームは、ＤＬ／ＵＬデータ並びにＤＬ／ＵＬ制御データを含み得る。
【０１７１】
[0183]  ビームフォーミングがサポートされ得、ビーム方向が動的に構成され得る。プリコーディングを伴うＭＩＭＯ送信もまたサポートされ得る。ＤＬにおけるＭＩＭＯ構成は、最大８つのストリーム及びＵＥごとに最大２つのストリームのマルチレイヤＤＬ送信を伴う最大８つの送信アンテナをサポートし得る。ＵＥごとに最大２つのストリームを伴うマルチレイヤ送信がサポートされ得る。複数のセルのアグリゲーションが、最大８つのサービングセルを伴ってサポートされ得る。代替的に、ＮＲは、ＯＦＤＭベースのインターフェース以外の異なるエアインターフェースをサポートし得る。ＮＲネットワークは、中央ユニット又は分散型ユニットなどのエンティティを含み得る。
【０１７２】
[0184]  図１６は、本開示の態様による、ワイヤレス通信のための時間同期をサポートする分散型無線アクセスネットワーク（ＲＡＮ）の実例的な論理アーキテクチャ１６００を例示する。
【０１７３】
[0185]  ５Ｇアクセスノード１６０６は、ＡＮＣ１６０２を含み得る。ＡＮＣは、分散型ＲＡＮの中央ユニット（ＣＵ：central unit）であり得る。いくつかのケースでは、ＡＮＣは、図１を参照して議論されたコアネットワーク１３０の一例であり得る。次世代コアネットワーク（ＮＧ−ＣＮ：next generation core network）１６０４へのバックホールインターフェースは、ＡＮＣにおいて終端し得る。近隣の次世代アクセスノード（ＮＧ−ＡＮ：next generation access node）へのバックホールインターフェースは、ＡＮＣにおいて終端し得る。ＡＮＣは、１つ又は複数のＴＲＰ１６０８（基地局、ＮＲ基地局、ノードＢ、５Ｇ ＮＢ、ＡＰ、ｇＮＢ、又は何らかの他の用語で呼ばれることもある）を含み得る。本明細書に記載されるように、ＴＲＰは、「セル（cell）」と互換的に使用され得る。ＴＲＰ１６０８は、図１、図２、及び図３を参照して議論された基地局の例であり得る。
【０１７４】
[0186]  ＴＲＰ１６０８は、分散型ユニット（ＤＵ：distributed unit）であり得る。ＴＲＰは、１つのＡＮＣ（ＡＮＣ１６０２）又は１つよりも多くのＡＮＣ（例示せず）に接続され得る。例えば、ＲＡＮ共有、サービスとしての無線（ＲａａＳ：radio as a service）、及びサービス固有のＡＮＣ展開の場合、ＴＲＰは、１つより多くのＡＮＣに接続され得る。ＴＲＰは、１つ又は複数のアンテナポートを含み得る。ＴＲＰは、ＵＥにトラフィックを個々に（例えば、動的選択）又は共同で（例えば、共同送信）サービングするように構成され得る。
【０１７５】
[0187]  アーキテクチャは、異なる展開タイプにわたるフロントホールソリューション（fronthauling solutions）をサポートし得る。例えば、アーキテクチャは、送信ネットワーク能力（例えば、帯域幅、レイテンシ、及び／又はジッタ）に少なくとも部分的に基づき得る。アーキテクチャは、特徴及び／又はコンポーネントをＬＴＥと共有し得る。態様によると、ＮＧ−ＡＮ１６１０は、ＮＲとのデュアルコネクティビティ（dual connectivity）をサポートし得る。ＮＧ−ＡＮは、ＬＴＥ及びＮＲについて共通のフロントホール（fronthaul）を共有し得る。
【０１７６】
[0188]  アーキテクチャは、ＴＲＰ１６０８の間及び中（between and among）での協働を可能にし得る。例えば、協働は、ＡＮＣ１６０２を介して複数のＴＲＰにわたって及び／又は１つのＴＲＰ内で予め設定され得る。態様によると、ＴＲＰ間インターフェースは、必要とされない／存在しないことがある。いくつかの態様によると、分割論理機能（split logical function）の動的構成が、論理アーキテクチャ１６００内に存在し得る。パケットデータコンバージェンスプロトコル（ＰＤＣＰ：packet data convergence protocol）、無線リンク制御（ＲＬＣ：radio link control）、ＭＡＣプロトコルは、ＡＮＣ又はＴＲＰに適応的に配置され得る。様々な態様によると、基地局は、ＣＵ（例えば、ＡＮＣ１６０２）及び／又は１つ又は複数の分散型ユニット（例えば、１つ又は複数のＴＲＰ１６０８）を含み得る。
【０１７７】
[0189]  上述されたように、図１６は、単に例として提供される。他の例も可能であり、図１６に関して説明されたものとは異なり得る。
【０１７８】
[0190]  図１７は、本開示の態様による、ワイヤレス通信のための時間同期をサポートする分散型ＲＡＮの実例的な物理アーキテクチャ１７００を例示する。集中型コアネットワークユニット（Ｃ−ＣＵ：centralized core network unit）１７０２は、コアネットワーク機能をホストし得る。いくつかのケースでは、Ｃ−ＣＵ１７０２は、図１を参照して議論されたコアネットワーク１３０の態様を含み得る。Ｃ−ＣＵは、集中的に（centrally）展開され得る。Ｃ−ＣＵの機能は、ピーク容量を処理するために（例えば、アドバンストワイヤレスサービス（ＡＷＳ：advanced wireless service）に）オフロードされ得る。
【０１７９】
[0191]  集中型ＲＡＮユニット（Ｃ−ＲＵ：centralized RAN unit）１７０４は、１つ又は複数のＡＮＣ機能をホストし得る。オプションとして、Ｃ−ＲＵは、局所的にコアネットワーク機能をホストし得る。Ｃ−ＲＵは、分散型展開を有し得る。Ｃ−ＲＵは、ネットワークエッジにより近いことがある。ＤＵ１７０６は、１つ又は複数のＴＲＰをホストし得る。ＤＵは、無線周波数（ＲＦ）機能を有するネットワークのエッジにロケートされ得る。
【０１８０】
[0192]  上述されたように、図１７は、単に例として提供される。他の例も可能であり、図１７に関して説明されたものとは異なり得る。
【０１８１】
[0193]  図１８は、本開示の態様による、ワイヤレス通信のための時間同期をサポートする方法１８００を例示するフローチャートを示す。方法１８００の動作は、本明細書で説明されたＵＥ１１５若しくは基地局１０５又はそのコンポーネントによってインプリメントされ得る。例えば、方法１８００の動作は、図９〜１２を参照して説明された通信マネージャによって実行され得る。いくつかの例では、ＵＥ又は基地局は、本明細書で説明された機能を実行するようにＵＥ又は基地局の機能要素を制御するための命令のセットを実行し得る。追加的にまたは代替的に、ＵＥ又は基地局は、専用ハードウェアを使用して、本明細書で説明された機能の態様を実行し得る。いくつかのケースでは、方法１８００の動作は、時間同期されたワイヤレスネットワークの第１のノード（例えば、ＵＥ又は基地局）によって実行され得、ここで、第１のノードは、第１のクロック及び第１の時間に関連付けられる。
【０１８２】
[0194]  １８０５において、ＵＥ又は基地局は、時間同期されたワイヤレスネットワークの第２のノードから、時間同期されたワイヤレスネットワークのフレーム構造への第２のノードの第２のクロックの第２の時間のためのマッピングを識別するマッピング情報と、同期情報とを含むタイミング同期信号を受信し得る。１８０５の動作は、本明細書で説明された方法に従って実行され得る。いくつかの例では、１８０５の動作の態様は、図９〜１２を参照して説明されたタイミング同期信号マネージャによって実行され得る。
【０１８３】
[0195]  １８１０において、ＵＥ又は基地局は、マッピング情報及び同期情報に基づいて、第２のクロックの第２の時間に第１のクロックの第１の時間を同期させ得る。１８１０の動作は、本明細書で説明された方法に従って実行され得る。いくつかの例では、１８１０の動作の態様は、図９〜１２を参照して説明されたタイマ機能マネージャによって実行され得る。
【０１８４】
[0196]  １８１５において、ＵＥ又は基地局は、タイミング同期信号に基づいて第１のノードのローカルワイヤードインターフェースのタイマ機能を構成し得、ここで、タイミング同期信号は、セルラワイヤレス通信リンクを通して受信される。１８１５の動作は、本明細書で説明された方法に従って実行され得る。いくつかの例では、１８１５の動作の態様は、図９〜１２を参照して説明されたタイマ機能マネージャによって実行され得る。
【０１８５】
[0197]  １８２０において、ＵＥ又は基地局は、ローカルワイヤードインターフェースを介して第１のノードに接続されたデバイスにタイミング制御信号を送信し得、ここで、タイミング制御信号は、タイマ機能に基づく。１８２０の動作は、本明細書で説明された方法に従って実行され得る。いくつかの例では、１８２０の動作の態様は、図９〜１２を参照して説明されたタイミング制御信号マネージャによって実行され得る。
【０１８６】
[0198]  図１９は、本開示の態様による、ワイヤレス通信のための時間同期のための方法１９００を例示するフローチャートを示す。方法１９００の動作は、本明細書で説明されたＵＥ１１５又はそのコンポーネントによってインプリメントされ得る。例えば、方法１９００の動作は、図９〜１２を参照して説明された通信マネージャによって実行され得る。いくつかの例では、ＵＥ１１５は、本明細書で説明された機能を実行するようにデバイスの機能要素を制御するためのコードのセットを実行し得る。追加的にまたは代替的に、ＵＥ１１５は、専用ハードウェアを使用して、本明細書で説明された機能の態様を実行し得る。
【０１８７】
[0199]  １９０５において、ＵＥ１１５は、ＵＥによって、セルラワイヤレス通信リンクを通して基地局からタイミング同期信号を受信し得る。１９０５の動作は、本明細書で説明された方法に従って実行され得る。ある特定の例では、１９０５の動作の態様は、図９〜１２を参照して説明されたタイミング同期信号マネージャによって実行され得る。
【０１８８】
[0200]  １９１０において、ＵＥ１１５は、タイミング同期信号に少なくとも部分的に基づいて、ＵＥのローカルワイヤードインターフェースのタイマ機能を構成し得る。１９１０の動作は、本明細書で説明された方法に従って実行され得る。ある特定の例では、１９１０の動作の態様は、図９〜１２を参照して説明されたタイマ機能マネージャによって実行され得る。
【０１８９】
[0201]  １９１５において、ＵＥ１１５は、ローカルワイヤードインターフェースを介してＵＥに接続されたデバイスにタイミング制御信号を送信し得、ここで、タイミング制御信号は、タイマ機能に少なくとも部分的に基づく。１９１５の動作は、本明細書で説明された方法に従って実行され得る。ある特定の例では、１９１５の動作の態様は、図９〜１２を参照して説明されたタイミング制御信号マネージャによって実行され得る。
【０１９０】
[0202]  図２０は、本開示の態様による、ワイヤレス通信のための時間同期のための方法２０００を例示するフローチャートを示す。方法２０００の動作は、本明細書で説明されたＵＥ１１５又はそのコンポーネントによってインプリメントされ得る。例えば、方法２０００の動作は、図９〜１２を参照して説明された通信マネージャによって実行され得る。いくつかの例では、ＵＥ１１５は、本明細書で説明された機能を実行するようにデバイスの機能要素を制御するためのコードのセットを実行し得る。追加的にまたは代替的に、ＵＥ１１５は、専用ハードウェアを使用して、本明細書で説明された機能の態様を実行し得る。
【０１９１】
[0203]  ２００５において、ＵＥ１１５は、ＵＥによって、セルラワイヤレス通信リンクを通して基地局からタイミング同期信号を受信し得る。２００５の動作は、本明細書で説明された方法に従って実行され得る。ある特定の例では、２００５の動作の態様は、図９〜１２を参照して説明されたタイミング同期信号マネージャによって実行され得る。
【０１９２】
[0204]  ２０１０において、ＵＥ１１５は、タイミング同期信号に少なくとも部分的に基づいて、ＵＥのローカルワイヤードインターフェースのタイマ機能を構成し得る。２０１０の動作は、本明細書で説明された方法に従って実行され得る。ある特定の例では、２０１０の動作の態様は、図９〜１２を参照して説明されたタイマ機能マネージャによって実行され得る。
【０１９３】
[0205]  ２０１５において、ＵＥ１１５は、セルラワイヤレス通信リンクの少なくとも１つのメトリックが閾値を満たすと決定し得る。２０１５の動作は、本明細書で説明された方法に従って実行され得る。ある特定の例では、２０１５の動作の態様は、図９〜１２を参照して説明されたセルラメトリックマネージャによって実行され得る。
【０１９４】
[0206]  ２０２０において、ＵＥ１１５は、ローカルワイヤードインターフェースを介してＵＥに接続されたデバイスにタイミング制御信号を送信し得、ここで、タイミング制御信号は、タイマ機能に少なくとも部分的に基づく。２０２０の動作は、本明細書で説明された方法に従って実行され得る。ある特定の例では、２０２０の動作の態様は、図９〜１２を参照して説明されたタイミング制御信号マネージャによって実行され得る。
【０１９５】
[0207]  ２０２５において、ＵＥ１１５は、決定に少なくとも部分的に基づいて、デバイスを制御するために、タイミング制御信号を送信し得る。２０２５の動作は、本明細書で説明された方法に従って実行され得る。ある特定の例では、２０２５の動作の態様は、図９〜１２を参照して説明されたセルラメトリックマネージャによって実行され得る。
【０１９６】
[0208]  図２１は、本開示の態様による、ワイヤレス通信のための時間同期のための方法２１００を例示するフローチャートを示す。方法２１００の動作は、本明細書で説明されたＵＥ１１５又はそのコンポーネントによってインプリメントされ得る。例えば、方法２１００の動作は、図９〜１２を参照して説明された通信マネージャによって実行され得る。いくつかの例では、ＵＥ１１５は、本明細書で説明された機能を実行するようにデバイスの機能要素を制御するためのコードのセットを実行し得る。追加的にまたは代替的に、ＵＥ１１５は、専用ハードウェアを使用して、本明細書で説明された機能の態様を実行し得る。
【０１９７】
[0209]  ２１０５において、ＵＥ１１５は、ＵＥによって、セルラワイヤレス通信リンクを通して基地局からタイミング同期信号を受信し得る。２１０５の動作は、本明細書で説明された方法に従って実行され得る。ある特定の例では、２１０５の動作の態様は、図９〜１２を参照して説明されたタイミング同期信号マネージャによって実行され得る。
【０１９８】
[0210]  ２１１０において、ＵＥ１１５は、タイミング同期信号に少なくとも部分的に基づいて、ＵＥのローカルワイヤードインターフェースのタイマ機能を構成し得る。２１１０の動作は、本明細書で説明された方法に従って実行され得る。ある特定の例では、２１１０の動作の態様は、図９〜１２を参照して説明されたタイマ機能マネージャによって実行され得る。
【０１９９】
[0211]  ２１１５において、ＵＥ１１５は、セルラワイヤレス通信リンクの少なくとも１つのメトリックが閾値を満たさないと決定し得る。２１１５の動作は、本明細書で説明された方法に従って実行され得る。ある特定の例では、２１１５の動作の態様は、図９〜１２を参照して説明されたセルラメトリックマネージャによって実行され得る。
【０２００】
[0212]  ２１２０において、ＵＥ１１５は、ローカルワイヤードインターフェースを介してＵＥに接続されたデバイスにタイミング制御信号を送信し得、ここで、タイミング制御信号は、タイマ機能に少なくとも部分的に基づく。２１２０の動作は、本明細書で説明された方法に従って実行され得る。ある特定の例では、２１２０の動作の態様は、図９〜１２を参照して説明されたタイミング制御信号マネージャによって実行され得る。
【０２０１】
[0213]  ２１２５において、ＵＥ１１５は、決定に少なくとも部分的に基づいて、デバイスからのタイミング制御信号を保留し得る。２１２５の動作は、本明細書で説明された方法に従って実行され得る。ある特定の例では、２１２５の動作の態様は、図９〜１２を参照して説明されたセルラメトリックマネージャによって実行され得る。
【０２０２】
[0214]  図２２は、本開示の態様による、ワイヤレス通信のための時間同期のための方法２２００を例示するフローチャートを示す。方法２２００の動作は、本明細書で説明されたＵＥ１１５又はそのコンポーネントによってインプリメントされ得る。いくつかの他の例では、方法２２００の動作は、本明細書で説明された基地局１０５又はそのコンポーネントによってインプリメントされ得る。
【０２０３】
[0215]  図２２に示されるように、いくつかの態様では、方法２２００は、時間同期されたワイヤレスネットワークのフレーム構造への第１のノードの第１のクロックの第１の時間のためのマッピングを（例えば、基地局のコントローラ／プロセッサ、ＵＥのコントローラ／プロセッサを使用して）決定することを含み得る（ブロック２２１０）。例えば、第１のノードは、時間同期されたワイヤレスネットワークのフレーム構造への第１のノードの第１のクロックの第１の時間のためのマッピングを決定し得る。
【０２０４】
[0216]  図２２に更に示されるように、いくつかの態様では、方法２２００は、時間同期されたワイヤレスネットワークの第２のノードに、マッピングを識別するマッピング情報と、第１のクロックの第１の時間に第２のノードの第２のクロックの第２の時間を同期させることに関連する同期情報とを（例えば、基地局のコントローラ／プロセッサ、ＵＥのコントローラ／プロセッサを使用して）送信することを含み得る（ブロック２２２０）。例えば、第１のノードは、時間同期されたワイヤレスネットワークの第２のノードに、マッピングを識別するマッピング情報と、第１のクロックの第１の時間に第２のノードの第２のクロックの第２の時間を同期させることに関連する同期情報とを送信し得る。
【０２０５】
[0217]  方法２２００は、本明細書で説明された任意の単一の態様又は態様の任意の組み合わせなど、追加の態様を含み得る。
【０２０６】
[0218]  いくつかの態様では、同期情報は、基準時間に関連付けられたタイムスタンプ識別子と、基準時間に関連付けられた集約された遅延に関連する遅延識別子とを含む。
【０２０７】
[0219]  いくつかの態様では、同期情報は、第１のノードによって使用される時間同期プロトコルに関連するプロトコル識別子を含む。
【０２０８】
[0220]  いくつかの態様では、時間同期プロトコルは、ＰＴＰ、汎用ＰＴＰ、タイミング及び同期プロトコル、及び／又は同様のものを含む。
【０２０９】
[0221]  いくつかの態様では、第１のノードは、第３のノードから、第３のノードの第３のクロックの第３の時間に第１のクロックの第１の時間を同期させることに関連付けられたメッセージを受信し得る。
【０２１０】
[0222]  いくつかの態様では、マッピングを決定することは、第３のクロックの第３の時間に第１のクロックの第１の時間を同期させることに関連付けられたメッセージを受信することに少なくとも部分的に基づいてマッピングを決定することを含む。
【０２１１】
[0223]  いくつかの態様では、マッピング情報及び同期情報は、時間同期されたワイヤレスネットワークのセルラリンクのダウンリンク又は時間同期されたワイヤレスネットワークのセルラリンクのアップリンク上で送信される。
【０２１２】
[0224]  いくつかの態様では、マッピング情報は、第１の時間についての時間値と、フレーム番号、ハイパーフレーム番号、システムフレーム番号、サブフレーム番号、及び／又は同様のもののフレーム構造識別子とを識別する。
【０２１３】
[0225]  いくつかの態様では、マッピング情報及び同期情報は、時間同期されたワイヤレスネットワークのセルラインターフェースの制御チャネルを使用して送信される。
【０２１４】
[0226]  いくつかの態様では、制御チャネルは、セルラインターフェースの制御プレーン又はユーザプレーンを使用して送信される。
【０２１５】
[0227]  いくつかの態様では、送信することは、識別情報を送信することを含み、識別情報は、セルラリンク識別子、ノード識別子、セル識別子、無線ベアラ識別子、プロトコルデータユニットセッション識別子、プロトコルデータユニット接続識別子、及び／又は同様のものを含む。
【０２１６】
[0228]  いくつかの態様では、マッピング情報及び同期情報は、第１のノードに関連付けられた複数の時間同期インスタンスのうちの第１の時間同期インスタンスに関連する。
【０２１７】
[0229]  図２３は、本開示の態様による、ワイヤレス通信のための時間同期のための方法２３００を例示するフローチャートを示す。方法２２００の動作は、本明細書で説明されたＵＥ１１５又はそのコンポーネントによってインプリメントされ得る。いくつかの他の例では、方法２３００の動作は、本明細書で説明された基地局１０５又はそのコンポーネントによってインプリメントされ得る。
【０２１８】
[0230]  図２３に示されるように、いくつかの態様では、方法２３００は、時間同期されたワイヤレスネットワークの第２のノードから、時間同期されたワイヤレスネットワークのフレーム構造への第２のノードの第２のクロックの第２の時間のためのマッピングを識別するマッピング情報と、同期情報とを受信することを含み得る（ブロック２３１０）。例えば、時間同期されたワイヤレスネットワークの、第１の時間を有する第１のクロックに関連付けられた第１のノードは、（例えば、基地局のコントローラ／プロセッサ、ＵＥのコントローラ／プロセッサを使用して）時間同期されたワイヤレスネットワークの第２のノードから、時間同期されたワイヤレスネットワークのフレーム構造への第２のノードの第２のクロックの第２の時間のためのマッピングを識別するマッピング情報と、同期情報とを受信し得る。
【０２１９】
[0231]  図２３に更に示されるように、いくつかの態様では、方法２３００は、マッピング情報及び同期情報に少なくとも部分的に基づいて、第２のクロックの第２の時間に第１のクロックの第１の時間を同期させることを含み得る（ブロック２３２０）。例えば、第１のノードは、マッピング情報及び同期情報に少なくとも部分的に基づいて、第２のクロックの第２の時間に第１のクロックの第１の時間を（例えば、基地局のコントローラ／プロセッサ、ＵＥのコントローラ／プロセッサを使用して）同期させ得る。
【０２２０】
[0232]  本明細書で説明された技法は、符号分割多元接続（ＣＤＭＡ）、時分割多元接続（ＴＤＭＡ）、周波数分割多元接続（ＦＤＭＡ）、ＯＦＤＭＡ、シングルキャリア周波数分割多元接続（ＳＣ−ＦＤＭＡ）、及び他のシステムなど、様々なワイヤレス通信システムのために使用され得る。ＣＤＭＡシステムは、ＣＤＭＡ２０００、ユニバーサル地上無線アクセス（ＵＴＲＡ）、等などの無線技術をインプリメントし得る。ＣＤＭＡ２０００は、ＩＳ−２０００、ＩＳ−９５、及びＩＳ−８５６規格をカバーする。ＩＳ−２０００リリースは一般に、ＣＤＭＡ２０００ １Ｘ、１Ｘ、等と呼ばれ得る。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、ワイドバンドＣＤＭＡ（ＷＣＤＭＡ（登録商標））及びＣＤＭＡの他の変形を含む。ＴＤＭＡシステムは、モバイル通信のためのグローバルシステム（ＧＳＭ（登録商標））などの無線技術をインプリメントし得る。
【０２２１】
[0233]  ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等などの無線技術をインプリメントし得る。ＵＴＲＡ及びＥ−ＵＴＲＡは、ユニバーサルモバイル電気通信システム（ＵＭＴＳ）の一部である。ＬＴＥ、ＬＴＥ−Ａ、及びＬＴＥ−Ａプロは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａプロ、ＮＲ、及びＧＳＭは、「第３世代パートナーシッププロジェクト」（３ＧＰＰ（登録商標））という名称の団体からの文書に記載されている。ＣＤＭＡ２０００及びＵＭＢは、「第３世代パートナーシッププロジェクト２」（３ＧＰＰ２）という名称の団体からの文書に記載されている。本明細書で説明された技法は、上述されたシステム及び無線技術並びに他のシステム及び無線技術のために使用され得る。ＬＴＥ、ＬＴＥ−Ａ、ＬＴＥ−Ａプロ、又はＮＲシステムの態様が、例を目的として説明され得、ＬＴＥ、ＬＴＥ−Ａ、ＬＴＥ−Ａプロ、又はＮＲ専門用語が、説明の大部分において使用され得るが、本明細書で説明された技法は、ＬＴＥ、ＬＴＥ−Ａ、ＬＴＥ−Ａプロ、又はＮＲアプリケーションを超えて適用可能である。
【０２２２】
[0234]  マクロセルは一般に、比較的大きい地理的エリア（例えば、半径数キロメートル）をカバーし、ネットワークプロバイダのサービスに加入しているＵＥ１１５による無制限アクセスを可能にし得る。スモールセルは、マクロセルと比較して、より低電力の基地局１０５に関連付けられ得、スモールセルは、マクロセルと同じ又は異なる（例えば、ライセンス、アンライセンス、等）周波数帯域において動作し得る。スモールセルは、様々な例に従って、ピコセル、フェムトセル、及びマイクロセルを含み得る。ピコセルは、例えば、小さい地理的エリアをカバーし得、ネットワークプロバイダのサービスに加入しているＵＥ１１５による無制限アクセスを可能にし得る。フェムトセルはまた、小さい地理的エリア（例えば、自宅）をカバーし得、フェムトセルとのアソシエーションを有するＵＥ１１５（例えば、限定加入者グループ（ＣＳＧ：a closed subscriber group）中のＵＥ１１５、自宅内のユーザのためのＵＥ１１５、及び同様のもの）による制限付きアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、又はホームｅＮＢと呼ばれ得る。ｅＮＢは、１つ又は複数（例えば、２つ、３つ、４つ、及び同様の数）のセルをサポートし得、また、１つ又は複数のコンポーネントキャリアを使用して通信をサポートし得る。
【０２２３】
[0235]  本明細書で説明されたワイヤレス通信システム１００又はシステムは、同期動作又は非同期動作をサポートし得る。同期動作の場合、基地局１０５は、同様のフレームタイミングを有し得、異なる基地局１０５からの送信は、時間的にほぼ揃えられ得る。非同期動作の場合、基地局１０５は、異なるフレームタイミングを有し得、異なる基地局１０５からの送信は、時間的に揃えられないことがある。本明細書で説明された技法は、同期動作又は非同期動作のいずれかのために使用され得る。
【０２２４】
[0236]  本明細書で説明された情報及び信号は、多様な異なる技術及び技法のうちの任意のものを使用して表わされ得る。例えば、上記の説明全体を通じて参照され得るデータ、命令、コマンド、情報、信号、ビット、シンボル、及びチップは、電圧、電流、電磁波、磁場若しくは磁性粒子、光場若しくは光粒子、又はそれらの任意の組み合わせによって表され得る。
【０２２５】
[0237]  本明細書での開示に関連して説明された様々な例示的なブロック及びモジュールは、汎用プロセッサ、ＤＳＰ、ＡＳＩＣ、ＦＰＧＡ若しくは他のプログラマブルロジックデバイス（ＰＬＤ）、ディスクリートゲート若しくはトランジスタロジック、ディスクリートハードウェアコンポーネント、又は本明細書で説明された機能を実行するように設計されたそれらの任意の組み合わせを用いてインプリメント又は実行され得る。汎用プロセッサは、マイクロプロセッサであり得るが、代替では、プロセッサは、任意の従来のプロセッサ、コントローラ、マイクロコントローラ、又はステートマシンであり得る。プロセッサはまた、コンピューティングデバイスの組み合わせ（例えば、ＤＳＰとマイクロプロセッサとの組み合わせ、複数のマイクロプロセッサ、ＤＳＰコアと連携した１つ又は複数のマイクロプロセッサ、又は任意の他のそのような構成）としてインプリメントされ得る。
【０２２６】
[0238]  本明細書で説明された機能は、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、それら機能は、１つ又は複数の命令又はコードとして、コンピュータ可読媒体上に記憶され得るか、又はコンピュータ可読媒体を通して送信され得る。他の例及びインプリメンテーションは、本開示及び添付された特許請求の範囲内にある。例えば、ソフトウェアの性質に起因して、上述された機能は、プロセッサによって実行されるソフトウェア、ハードウェア、ファームウェア、ハード配線、又はこれらのうちの任意のものの組み合わせを使用してインプリメントされることができる。機能をインプリメントする特徴はまた、機能の一部分が異なる物理的ロケーションにおいてインプリメントされるように分散されることを含め、様々な位置において物理的にロケートされ得る。
【０２２７】
[0239]  コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用又は専用コンピュータによってアクセスされることができる任意の利用可能な媒体であり得る。限定ではなく例として、非一時的コンピュータ可読媒体は、ＲＡＭ、ＲＯＭ、電気的消去可能プログラマブル読取専用メモリ（ＥＥＰＲＯＭ（登録商標））、フラッシュメモリ、コンパクトディスク（ＣＤ）ＲＯＭ若しくは他の光ディスク記憶装置、磁気ディスク記憶装置若しくは他の磁気記憶デバイス、又はデータ構造若しくは命令の形態で所望されるプログラムコード手段を記憶若しくは搬送するために使用されることができ、且つ汎用若しくは専用コンピュータ、又は汎用若しくは専用プロセッサによってアクセスされることができる任意の他の非一時的媒体を備え得る。また、任意の接続は、厳密にはコンピュータ可読媒体と称される。例えば、ソフトウェアが、同軸ケーブル、光ファイバケーブル、ツイストペア、デジタル加入者回線（ＤＳＬ）、又は赤外線、無線、及びマイクロ波などのワイヤレス技術を使用して、ウェブサイト、サーバ、又は他のリモートソースから送信される場合、同軸ケーブル、光ファイバケーブル、ツイストペア、ＤＳＬ、又は赤外線、無線、及びマイクロ波などのワイヤレス技術は、媒体の定義中に含まれる。ディスク（disk）及びディスク（disc）は、本明細書で使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）、及びＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０２２８】
[0240]  特許請求の範囲を含め、本明細書で使用される場合、項目のリスト（例えば、「〜のうちの少なくとも１つ（at least one of）」又は「〜のうちの１つ又は複数（one or more of）」などのフレーズで始まる項目のリスト）中で使用される「又は／或いは／若しくは（or）」は、例えば、Ａ、Ｂ、又はＣのうちの少なくとも１つのリストが、Ａ、Ｂ、Ｃ、ＡとＢ、ＡとＣ、ＢとＣ、又はＡとＢとＣ（即ち、Ａ、Ｂ、及びＣ）を意味するような、包含的なリストを示す。また、本明細書で使用される場合、「〜に基づいて（based on）」というフレーズは、条件の閉集合への参照として解釈されるべきではない。例えば、「条件Ａに基づいて」と記載された例証的なステップは、本開示の範囲から逸脱することなしに、条件Ａと条件Ｂとの両方に基づき得る。言い換えれば、本明細書で使用される場合、「〜に基づいて」というフレーズは、「〜に少なくとも部分的に基づいて（based at least in part on）」というフレーズと同じように解釈されるべきである。
【０２２９】
[0241]  添付された図面では、同様のコンポーネント又は特徴は、同じ参照ラベルを有し得る。更に、同じタイプの様々なコンポーネントは、参照ラベルに、ダッシュと、同様のコンポーネント間を区別する第２のラベルとを後続させることによって区別され得る。本明細書中で第１の参照ラベルだけが使用される場合、その説明は、第２の参照ラベル、又は他の後続の参照ラベルに関係なく同じ第１の参照ラベルを有する同様のコンポーネントのうちのどの１つにも適用可能である。
【０２３０】
[0242]  添付された図面に関連して本明細書に記載された説明は、実例的な構成を説明しており、インプリメントされ得る又は特許請求の範囲内にある全ての例を表してはいない。本明細書で使用される「例証的（exemplary）」という用語は、「例、事例、又は例示としての役割を果たすこと」を意味し、「好ましい」又は「他の例より有利である」ということを意味しない。詳細な説明は、説明された技法の理解を提供することを目的として特定の詳細を含む。これらの技法は、しかしながら、これらの特定の詳細なしに実施され得る。いくつかの事例では、良く知られている構造及びデバイスは、説明された例の概念を曖昧にすることを避けるために、ブロック図形式で示される。
【０２３１】
[0243]  本明細書での説明は、当業者が本開示を製造又は使用することを可能にするために提供される。本開示に対する様々な修正は、当業者にとって容易に明らかとなり、本明細書で定義された包括的な原理は、本開示の範囲から逸脱することなしに他の変形に適用され得る。このことから、本開示は、本明細書で説明された例及び設計に限定されず、本明細書で開示された原理及び新規の特徴と一致する最も広い範囲が付与されるべきである。
【図１】
2021507613.tif 000003
【図２】
2021507613.tif 000004
【図３】
2021507613.tif 000005
【図４】
2021507613.tif 000006
【図５】
2021507613.tif 000007
【図６Ａ】
2021507613.tif 000008
【図６Ｂ】
2021507613.tif 000009
【図６Ｃ】
2021507613.tif 000010
【図６Ｄ】
2021507613.tif 000011
【図７】
2021507613.tif 000012
【図８】
2021507613.tif 000013
【図９】
2021507613.tif 000014
【図１０】
2021507613.tif 000015
【図１１】
2021507613.tif 000016
【図１２】
2021507613.tif 000017
【図１３】
2021507613.tif 000018
【図１４】
2021507613.tif 000019
【図１５】
2021507613.tif 000020
【図１６】
2021507613.tif 000021
【図１７】
2021507613.tif 000022
【図１８】
2021507613.tif 000023
【図１９】
2021507613.tif 000024
【図２０】
2021507613.tif 000025
【図２１】
2021507613.tif 000026
【図２２】
2021507613.tif 000027
【図２３】
2021507613.tif 000028
【国際調査報告】
2021507613.tif 000029
2021507613.tif 000030
2021507613.tif 000031